(57)【要約】      （修正有）【課題】ゴルフボールのサイズおよびゴルフクラブの打撃面のサイズにかかわらず、打撃面および／またはゴルフクラブのクラブヘッドとゴルフボールとを一直線に並べることのできるドライバクラブヘッドを提供する。【解決手段】ドライバクラブヘッドは、フロントフェースを有する前端部と、トウ端部、トウ端部の反対側のヒール端部、フロント端部の反対側の後端部と、前方クラウン端部および後方クラウン端部を有するクラウン面と、クラウン面に位置する位置合わせ補助手段と、を含み得る。前方クラウン端部は、後端部よりも前端部に近く、後方クラウン端部は、前端部よりも後端部に近くてもよい。位置合わせ補助手段は、２つ以上の位置合わせ補助ストライプを含み得る。２つ以上の位置合わせ補助ストライプは、前方クラウン端部と後方クラウン端部の間に延在する第１の位置合わせ補助ストライプおよび第２の位置合わせ補助ストライプを含み得る。【選択図】図１
2018187410.tif 000002
【特許請求の範囲】
【請求項１】
フロントフェースを備える前端部と、
トウ端部と、
前記トウ端部の反対側のヒール端部と、
前記フロントフェースの反対側の後端部と、
前方クラウン端部および後方クラウン端部を備えるクラウン面と、
前記クラウン面であって、前記前方クラウン端部と前記後方クラウン端部の間に位置する位置合わせ補助手段と、
を備えるウッドタイプクラブヘッドであって、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボールのゴルフボール直径以下であり、
前記位置合わせ補助手段は、２つ以上の位置合わせ補助ストライプを備え、
前記２つ以上の位置合わせ補助ストライプは、互いにほぼ平行であり、
前記クラウン面は、クラウン面周縁と、前記クラウン面周縁内に位置するクラウン内面と、をさらに備え、
前記位置合わせ補助手段は、前記クラウン面周縁には不在であり、
前記２つ以上の位置合わせ補助ストライプは、ギャップによって互いにオフセットされ、
前記ギャップは、前記２つ以上の位置合わせ補助ストライプのいずれの幅よりも大きいギャップ幅を備える、ウッドタイプクラブヘッド。
【請求項２】
前記クラウン面は、前記位置合わせ補助手段を備える、請求項１に記載のウッドタイプクラブヘッド。
【請求項３】
前記２つ以上の位置合わせ補助ストライプは、ギャップによって互いにオフセットされ、
前記２つ以上の位置合わせ補助ストライプは、第１の色を備え、
前記クラウン面は、前記第１の色と異なる第２の色を備え、
前記位置合わせ補助手段は、前記位置合わせ補助手段の端部に位置するギャップおよびテキストを備える、請求項１または２に記載のウッドタイプクラブヘッド。
【請求項４】
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、請求項１から３のいずれか一項に記載のウッドタイプクラブヘッド。
【請求項５】
前記ゴルフボールの前記ゴルフボール直径は、約４．２６センチメートルであり、
前記位置合わせ補助手段は、前記ウッドタイプクラブヘッドと一体化される、請求項１から４のいずれか一項に記載のウッドタイプクラブヘッド。
【請求項６】
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、請求項１から５のいずれか一項に記載のウッドタイプクラブヘッド。
【請求項７】
フロントフェースを備える前端部と、
トウ端部と、
前記トウ端部の反対側のヒール端部と、
前記前端部の反対側の後端部と、
前方クラウン端部および後方クラウン端部を備えるクラウン面と、
前記クラウン面における位置合わせ補助手段と
を備えるドライバクラブヘッドであって、
前記前方クラウン端部は、前記後端部よりも前記前端部に近く、
前記後方クラウン端部は、前記前端部よりも前記後端部に近く、
前記位置合わせ補助手段は、２つ以上の位置合わせ補助ストライプを備え、
前記２つ以上の位置合わせ補助ストライプは、前記第１の位置合わせ補助ストライプおよび第２の位置合わせ補助ストライプを含み、
前記第１の位置合わせ補助ストライプは、前記ヒール端部よりも前記トウ端部に近く、
前記第２の位置合わせ補助ストライプは、前記トウ端部よりも前記ヒール端部に近く、
前記第１の位置合わせ補助ストライプは、前記第２の位置合わせ補助ストライプとほぼ平行であり、
前記第１の位置合わせ補助ストライプは、前記第２の位置合わせ補助ストライプからギャップによってオフセットされ、
前記２つ以上の位置合わせ補助ストライプは、第１の色を備え、
前記クラウン面は、前記第１の色と異なる第２の色を備え、
前記ギャップは、前記第２の色を備え、
前記位置合わせ補助手段は、位置合わせ補助幅を備え、
前記位置合わせ補助幅は、ゴルフボールの直径以下であり、
前記クラウン面は、クラウン面周縁と、前記クラウン面周縁内に位置するクラウン内面と、を備え、
前記位置合わせ補助手段は、前記クラウン面周縁には不在であり、
前記２つ以上の位置合わせ補助ストライプは、ギャップによって互いにオフセットされ、
前記ギャップは、前記２つ以上の位置合わせ補助ストライプのいずれの幅よりも大きいギャップ幅を備える、ドライバクラブヘッド。
【請求項８】
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、請求項７に記載のドライバクラブヘッド。
【請求項９】
前記クラウン面は、前記位置合わせ補助手段を備え、
グラフィックが、前記２つ以上の位置合わせ補助ストライプの間の前記ギャップに位置する、請求項７または８に記載のドライバクラブヘッド。
【請求項１０】
前記グラフィックは、前記２つ以上の位置合わせ補助ストライプと平行に配置される、請求項９に記載のドライバクラブヘッド。
【請求項１１】
前記位置合わせ補助手段は、前記トウ端部および前記ヒール端部からほぼ等距離に位置し、
グラフィックが、前記２つ以上の位置合わせ補助ストライプの間の前記ギャップに位置し、
前記グラフィックは、前記２つ以上の位置合わせ補助ストライプと平行に配置され、
前記２つ以上の位置合わせ補助ストライプは、互いにほぼ平行であり、
前記ゴルフボールの直径は、約４．２６センチメートルである、請求項７または８に記載のドライバクラブヘッド。
【請求項１２】
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面における、前記前方クラウン端部と前記後方クラウン端部の間に延在する位置合わせ補助手段と
を備えるクラブヘッドであって、
前記クラブヘッドは、ウッドタイプクラブヘッドを含み、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボール直径以下であり、
前記ゴルフボール直径は、約４．２６センチメートルであり、
前記位置合わせ補助手段は、２つ以上の位置合わせ補助ストライプを備える、クラブヘッド。
【請求項１３】
前記クラウン面は、クラウン面周縁と、前記クラウン面周縁内に位置する前記クラウン面周縁以外のクラウン内面とをさらに備え
前記位置合わせ補助手段は、前記クラウン面周縁には不在である、請求項１２に記載のクラブヘッド。
【請求項１４】
前記位置合わせ補助手段は、前記フロントフェースにも位置する、請求項１２または１３に記載のクラブヘッド。
【請求項１５】
前記位置合わせ補助手段は、前記フロントフェースと直角である、請求項１２から１４のいずれか一項に記載のクラブヘッド。
【請求項１６】
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、請求項１２から１５のいずれか一項に記載のクラブヘッド。
【請求項１７】
前記２つ以上の位置合わせ補助ストライプは、４つの位置合わせ補助ストライプを含み、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近い、請求項１２から１６のいずれか一項に記載のクラブヘッド。
【請求項１８】
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第１のトウ位置合わせ補助ストライプは、前記第１のヒール位置合わせ補助ストライプとほぼ平行である、請求項１７に記載のクラブヘッド。
【請求項１９】
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第２のトウ位置合わせ補助ストライプは、前記第２のヒール位置合わせ補助ストライプとほぼ平行である、請求項１８に記載のクラブヘッド。
【請求項２０】
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭い、請求項１９に記載のクラブヘッド。
【請求項２１】
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされる、請求項１７から２０のいずれか一項に記載のクラブヘッド。
【請求項２２】
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しい、請求項２１に記載のクラブヘッド。
【請求項２３】
前記第１のトウ位置合わせ補助ストライプは、前記第１のヒール位置合わせ補助ストライプから中心オフセット領域によってオフセットされる、請求項２２に記載のクラブヘッド。
【請求項２４】
前記中心オフセット領域は、中心オフセット領域幅を備え、
前記トウオフセット領域幅および前記ヒールオフセット領域幅は、前記中心オフセット領域幅より狭い、請求項２３に記載のクラブヘッド。
【請求項２５】
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプ幅は、前記第２のヒール位置合わせ補助ストライプ幅とほぼ等しく、
前記第１のトウ位置合わせ補助ストライプ幅および前記第１のヒール位置合わせ補助ストライプ幅は、約０．５０センチメートル以上かつ約１．６センチメートル以下であり、
前記第２のトウ位置合わせ補助ストライプ幅および前記第２のヒール位置合わせ補助ストライプ幅は、約０．０５０センチメートル以上かつ約１．５センチメートル以下である、請求項１７に記載のクラブヘッド。
【請求項２６】
前記第１のトウ位置合わせ補助ストライプは、第１のトウ位置合わせ補助ストライプ長を備え、
前記第１のヒール位置合わせ補助ストライプは、第１のヒール位置合わせ補助ストライプ長を備え、
前記第２のトウ位置合わせ補助ストライプは、第２のトウ位置合わせ補助ストライプ長を備え、
前記第２のヒール位置合わせ補助ストライプは、第２のヒール位置合わせ補助ストライプ長を備え、
前記第１のトウ位置合わせ補助ストライプ長は、前記第１のヒール位置合わせ補助ストライプ長とほぼ等しく、
前記第２のトウ位置合わせ補助ストライプ長は、前記第２のヒール位置合わせ補助ストライプ長とほぼ等しく、
前記第１のトウ位置合わせ補助ストライプ長および前記第１のヒール位置合わせ補助ストライプ長は、約８．０センチメートル以上かつ約１２センチメートル以下であり、
前記第２のトウ位置合わせ補助ストライプ長および前記第２のヒール位置合わせ補助ストライプ長は、約８．０センチメートル以上かつ約１．５センチメートル以下である、請求項１７から２５のいずれか一項に記載のクラブヘッド。
【請求項２７】
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面を横切って前記前方クラウン端部から前記後方クラウン端部に延びる位置合わせ補助手段と
を備えるクラブヘッドであって、
前記クラブヘッドは、ドライバクラブヘッドを含み、
前記位置合わせ補助手段は、４つの位置合わせ補助ストライプを備え、
前記位置合わせ補助手段は、位置合わせ補助幅を備え、
前記位置合わせ補助幅は、ゴルフボール直径とほぼ等しく、
前記ゴルフボール直径は、約４．２６センチメートルを備え、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近く、
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第１のトウ位置合わせ補助ストライプ、前記第１のヒール位置合わせ補助ストライプ、前記第１のヒール位置合わせ補助ストライプ、前記第２のトウ位置合わせ補助ストライプ、および前記第２のヒール位置合わせ補助ストライプは、互いにほぼ平行であり、
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭く、
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされ、
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しく、
前記第１のトウ位置合わせ補助ストライプは、前記第１のヒール位置合わせ補助ストライプから中心オフセット領域によってオフセットされ、
前記中心オフセット領域は、中心オフセット領域幅を備え、
前記トウオフセット領域幅および前記ヒールオフセット領域幅は、前記中心オフセット領域幅より狭く、
前記位置合わせ補助手段は、前記フロントフェースと直角である、クラブヘッド。
【請求項２８】
ウッドタイプクラブヘッドを準備する工程であって、前記ウッドタイプクラブヘッドは、
フロントフェースを備える前端部と、
トウ端部、および前記トウ端部の反対側のヒール端部と、
前記フロントフェースの反対側の後端部と、
前方クラウン端部および後方クラウン端部を備えるクラウン面であって、前記前方クラウン端部が前記後端部よりも前記前端部に近く、前記後方クラウン端部が前記前端部よりも前記後端部に近い、クラウン面と
を備える、工程と、
前記クラウン面において前記前方クラウン端部と前記後方クラウン端部の間に延在する位置合わせ補助手段を準備する工程であって、前記位置合わせ補助手段は、約４．２６センチメートルのゴルフボール直径以下である位置合わせ補助幅を備え、２つ以上の位置合わせ補助ストライプを備える、工程と
を含む方法。
【請求項２９】
前記ウッドタイプクラブヘッドを準備する工程は、ドライバクラブヘッドまたはフェアウェイウッドクラブヘッドの一方を準備する工程を含む、請求項２８に記載の方法。
【請求項３０】
前記ウッドタイプクラブヘッドを準備する工程は、ドライバクラブヘッドを準備する工程を含み、
前記２つ以上の位置合わせ補助ストライプは、レーシングストライプを含む、請求項２８に記載の方法。
【請求項３１】
前記位置合わせ補助手段を準備する工程は、前記位置合わせ補助手段が、前記クラウン面のクラウン面周縁内に位置する前記クラウン面周縁以外のクラウン面内面にあるように、かつ、前記位置合わせ補助手段が、前記クラウン面周縁には不在であるように、前記位置合わせ補助手段を準備する工程を含む、請求項２８から３０のいずれか一項に記載の方法。
【請求項３２】
前記２つ以上の位置合わせ補助ストライプは、４つの位置合わせ補助ストライプを準備することを含み、
前記４つの位置合わせ補助ストライプは、第１のトウ位置合わせ補助ストライプが、前記ヒール端部よりも前記トウ端部に近く、第１のヒール位置合わせ補助ストライプが、前記トウ端部よりも前記ヒール端部に近く、第２のトウ位置合わせ補助ストライプが、前記第１のトウ位置合わせ補助ストライプよりも前記トウ端部に近く、第２のヒール位置合わせ補助ストライプが、前記第１のヒール位置合わせ補助ストライプよりも前記ヒール端部に近く、前記４つの位置合わせ補助ストライプが、互いに実質的に平行であるように、前記第１のトウ位置合わせ補助ストライプ、前記第１のヒール位置合わせ補助ストライプ、前記第２のトウ位置合わせ補助ストライプ、および前記第２のヒール位置合わせ補助ストライプを準備することを含む、請求項２８から３１のいずれか一項に記載の方法。
【発明の詳細な説明】
【技術分野】
【０００１】
本開示は、一般的にはスポーツ用具に関し、より詳細にはクラブヘッドおよびそれに関連する方法に関する。
【０００２】
関連出願の相互参照
本国際特許出願は、２０１１年１１月１１日に出願された米国特許仮出願第６１／５５８，９７７号および２０１１年１２月１５日に出願された米国特許仮出願第６１／５７６，３５０号の利益を主張する。さらに、本国際特許出願は、米国特許仮出願第６１／５５８，９７７号および米国特許仮出願第６１／５７６，３５０号の利益を主張する２０１２年１月６日に出願された米国特許出願第１３／３４５，５４１号の継続出願である。また、本国際特許出願は、２０１２年６月２８日に出願された米国特許出願第１３／５３６，７６０号の継続出願である。米国特許出願第１３／５３６，７６０号は、米国特許出願第１３／３４５，５４１号の継続出願であり、米国特許仮出願第６１／５５８，９７７号および米国特許仮出願第６１／５７６，３５０号の利益を主張する。
【０００３】
米国特許出願第１３／５３６，７６０号、米国特許出願第１３／３４５，５４１号、米国特許仮出願第６１／５５８，９７７号および米国特許仮出願第６１／５７６，３５０号の全開示が、参照により本明細書に組み込まれる。
【背景技術】
【０００４】
ゴルフクラブの打撃面がゴルフボールに正面から接触すること、および、打撃面をまっすぐに振り切ることを確保すれば、ゴルフボールの軌道の精度、スピード、および／または距離は、増加し得る。
【発明の概要】
【発明が解決しようとする課題】
【０００５】
ゴルフボールのサイズおよびゴルフクラブの打撃面のサイズによって、打撃面および／またはゴルフクラブのクラブヘッドとゴルフボールとを一直線に並べることは難しい。
【０００６】
図面内の添付の図と組み合わせて実施形態の例の以下の詳細な説明を読むことにより、本開示がよりよく理解されよう。
【図面の簡単な説明】
【０００７】
【図１】実施形態における例示的なクラブヘッドの平面図を示す。
【０００８】
【図２】他の実施形態における３個のストライブの位置合わせ補助手段を有する他の例示的なクラブヘッドの平面図を示す。
【０００９】
【図３】他の実施形態における、ゴルフクラブのフロントフェースと鋭角を形成する位置合わせ補助手段を有する他のクラブヘッドであって、鋭角は、クラブヘッドのヒール端部に対して開いている他のクラブヘッドの平面図を示す。
【００１０】
【図４】他の実施形態における、ゴルフクラブのフロントフェースと鋭角を形成する位置合わせ補助手段を有する他のクラブヘッドであって、鋭角は、クラブヘッドのトウ端部に対して開いている他のクラブヘッドの平面図を示す。
【００１１】
【図５】図３の実施形態において、位置合わせ補助手段を使用しない操作の際の図３のクラブヘッドの平面図を示す。
【００１２】
【図６】図３の実施形態において、位置合わせ補助手段を使用した操作の際の図３のクラブヘッドの平面図を示す。
【００１３】
【図７】図１から６のクラブヘッドに関する方法の実施形態のためのフローチャートを示す。
【００１４】
【図８】位置合わせ補助手段を準備するステップの例示的な手順のためのフローチャートを示す。
【００１５】
【図９】他の実施形態における５個のストライプの位置合わせ補助手段を有する他の例示的なクラブヘッドを示す。
【００１６】
【図１０】図９の実施形態における５個のストライプの位置合わせ補助手段を有する他の例示的なクラブヘッドを示す。
【００１７】
【図１１】図９の実施形態における５個のストライプの位置合わせ補助手段を有する他の例示的なクラブヘッドを示す。
【００１８】
【図１２】他の実施形態における４個のストライプの位置合わせ補助手段を有する他の例示的なクラブヘッドを示す。
【００１９】
【図１３】他の実施形態における２個のストライブの位置合わせ補助手段を有する他の例示的なクラブヘッドの平面図を示す。
【００２０】
図示の単純化および明瞭化を目的として、図面は、概略的な構造態様を示し、周知の特徴および技法に関する説明および詳述は、本開示を不必要に曖昧にするのを回避するために省略される場合がある。さらに、図面内の要素は、必ずしも縮尺通りには描画されない。例えば、これらの図中の要素の中の一部の寸法が、本開示の実施形態の理解の向上を促すために、他の要素に対して誇張される場合がある。種々の図面中の同一の参照数字は、同一の要素を示す。
【００２１】
本説明および特許請求の範囲内において「第１の」、「第２の」、「第３の」、および「第４の」等々の用語が使用される場合には、これらは、同様の要素間を区別するために使用され、必ずしもある特定の順番または時系列順を説明するために使用されるわけではない。このように用いられる用語は、例えば本明細書において説明される実施形態が、本明細書において示されるかまたは別様に説明される順序以外の順序で動作可能であるような適切な状況下においては、互換的である点に理解されたい。さらに、「含む」および「有する」という用語、ならびにそれらの任意の変形語は、非排他的な包含を対象とすることを意図され、そのため、工程、方法、システム、物品、デバイス、または一連の要素を備える装置は、必ずしもそれらの要素に限定されず、明示されないまたはかかる工程、方法、システム、物品、デバイス、もしくは装置に固有の他の要素を含み得る。
【００２２】
本説明および特許請求の範囲内において「左の」、「右の」、「前方の」、「後方の」、「上部の」、「下部の」、「上方の」、および「下方の」等々の用語が使用される場合には、これらは、説明を目的として使用され、必ずしも恒久的な相対位置を説明するために使用されるわけではない。このように用いられる用語は、例えば本明細書において説明される装置、方法、および／または製造物品の実施形態が、本明細書において示されるかまたは別様に説明される方向以外の他の方向で動作可能であるような適切な状況下においては、互換的である点に理解されたい。
【００２３】
「結合する」、「結合された」、「結合する」、および「結合している」等々の用語は、広義に理解されるべきであり、２つ以上の要素を、機械的に、または別様に接続することを指す。２つ以上の機械的要素が、機械的に結合されるが、電気的にまたは別様には結合されなくてもよい。結合（機械的、電気的、または別様なものあるか否かにかかわらず）は、例えば恒久的、半恒久的、または一瞬の間のみなど、任意の時間の長さにわたるものであってもよい。
【００２４】
「電気的結合」等々は、広義に理解されるべきであり、電源信号、データ信号、及び又は他の種類の電気的信号、又はそれらの組合せ等のいかなる電気的信号を包含する結合を含む。「機械的結合」等々は、広義に理解されるべきであり、全てのタイプの機械的結合を含む。
【００２５】
「取り外し可能な」、「取り外し可能」等の単語が、「結合された」等の単語の近くに存在しない場合、当該「結合」等は、取り外し可能である、または、取り外し不可能であることを意味するものではない。
【発明を実施するための形態】
【００２６】
いくつかの実施形態は、前端部を備えるクラブヘッドを含み、前端部はフロントフェースを備える。クラブヘッドはまた、トウ端部と、トウ端部の反対側のヒール端部と、フロントフェースの反対側の後端部と、を備える。また、クラブヘッドは、前方クラウン端部および後方クラウン端部を備えるクラウン面と、前方クラウン端部と後方クラウン端部の間に延在するクラウン面における位置合わせ補助手段とを備える。前方クラウン端部は、後端部よりも前端部に近く、後方クラウン端部は、前端部よりも後端部に近い。
【００２７】
様々な実施形態が、前端部を備えるクラブヘッドを含み、前端部はフロントフェースを備える。クラブヘッドは、トウ端部と、トウ端部の反対側のヒール端部と、フロントフェースの反対側の後端部とを備える。また、クラブヘッドは、前方クラウン端部および後方クラウン端部を備えるクラウン面と、前方クラウン端部から後方クラウン端部に延在するクラウン面における位置合わせ補助手段とを備える。前方クラウン端部は、後端部よりも前端部に近く、後方クラウン端部は、前端部よりも後端部に近い。クラブヘッドは、ドライバクラブヘッド、フェアウェイウッドクラブヘッド、またはハイブリッドクラブヘッドのうちの１つを含むことができる。位置合わせ補助手段は、位置合わせ補助幅を備え、位置合わせ補助幅は、ゴルフボール直径とほぼ等しくすることができる。さらに、位置合わせ補助手段は、３つの位置合わせ補助ストライプを備えることができ、３つの位置合わせ補助ストライプは、トウ位置合わせ補助ストライプ、ヒール位置合わせ補助ストライプ、および中心位置合わせ補助ストライプを含むことができる。トウ位置合わせ補助ストライプは、ヒール端部よりもトウ端部に近く、ヒール位置合わせ補助ストライプは、トウ端部よりもヒール端部に近く、中心位置合わせ補助ストライプは、トウ位置合わせ補助ストライプとヒール位置合わせ補助ストライプの間にある。また、トウ位置合わせ補助ストライプは、トウ位置合わせ補助ストライプ幅を備え、ヒール位置合わせ補助ストライプは、ヒール位置合わせ補助ストライプ幅を備え、中心位置合わせ補助ストライプは、中心位置合わせ補助ストライプ幅を備える。トウ位置合わせ補助ストライプ幅は、ヒール位置合わせ補助ストライプ幅とほぼ等しくすることができ、中心位置合わせ補助ストライプ幅は、トウ位置合わせ補助ストライプ幅およびヒール位置合わせ補助ストライプ幅より広い。トウ位置合わせ補助ストライプ、ヒール位置合わせ補助ストライプ、および中心位置合わせ補助ストライプは、互いに平行にし、またフロントフェースと直角にすることができる。中心位置合わせ補助ストライプ幅は、トウ位置合わせ補助ストライプ幅およびヒール位置合わせ補助ストライプ幅より広い。トウ位置合わせ補助ストライプは、中心位置合わせ補助ストライプからオフセットすることができ、かつ／または、ヒール位置合わせ補助ストライプは、中心位置合わせ補助ストライプからオフセットすることができる。
【００２８】
さらなる実施形態は、クラブヘッドを準備する工程であって、クラブヘッドは、フロントフェースを備える前端部と、フロントフェースの反対側の後端部と、前方クラウン端部および後方クラウン端部を備えるクラウン面であって、前方クラウン端部が後端部よりも前端部に近く、後方クラウン端部が前端部よりも後端部に近い、クラウン面とを備える、工程と、位置合わせ補助手段が前方クラウン端部と後方クラウン端部の間に延在するように、クラウン面において位置合わせ補助手段を準備する工程とを含む、方法を含む。
【００２９】
いくつかの実施形態は、フロントフェースを備える前端部を備えるクラブヘッドを含む。クラブヘッドはまた、トウ端部と、トウ端部の反対側のヒール端部と、フロントフェースの反対側の後端部とを備える。また、クラブヘッドは、前方クラウン端部および後方クラウン端部を備えるクラウン面を備える。クラブヘッドはまた、前方クラウン端部と後方クラウン端部の間に延在するクラウン面における位置合わせ補助手段を備える。クラブヘッドは、ウッドタイプクラブヘッドを含むことができる。前方クラウン端部は、後端部よりも前端部に近くすることができ、後方クラウン端部は、前端部よりも後端部に近くすることができる。位置合わせ補助手段は、位置合わせ補助幅を備えることができ、位置合わせ補助幅は、ゴルフボール直径以下とすることができ、ゴルフボール直径は、約４．２６センチメートルを有することができる。さらに、位置合わせ補助手段は、２つ以上の位置合わせ補助ストライプを備えることができる。
【００３０】
様々な実施形態が、フロントフェースを備える前端部を備えるクラブヘッドを含む。クラブヘッドはまた、トウ端部と、トウ端部の反対側のヒール端部と、フロントフェースの反対側の後端部とを備える。また、クラブヘッドは、前方クラウン端部および後方クラウン端部を備えるクラウン面をさらに備える。クラブヘッドはまた、クラウン面を横切って前方クラウン端部から後方クラウン端部に延びる位置合わせ補助手段を備える。クラブヘッドは、ドライバクラブヘッドを含むことができる。位置合わせ補助手段は、４つの位置合わせ補助ストライプを備えることができる。位置合わせ補助手段は、位置合わせ補助幅を備えることができ、位置合わせ補助幅は、ゴルフボール直径とほぼ等しくすることができ、ゴルフボール直径は、約４．２６センチメートルを有することができる。４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含むことができる。第１のトウ位置合わせ補助ストライプは、ヒール端部よりもトウ端部に近くすることができ、第１のヒール位置合わせ補助ストライプは、トウ端部よりもヒール端部に近くすることができ、第２のトウ位置合わせ補助ストライプは、第１のトウ位置合わせ補助ストライプよりもトウ端部にすることができ、第２のヒール位置合わせ補助ストライプは、第１のヒール位置合わせ補助ストライプよりもヒール端部にすることができる。第１のトウ位置合わせ補助ストライプは、第１のトウ位置合わせ補助ストライプ幅を備えることができ、第１のヒール位置合わせ補助ストライプは、第１のヒール位置合わせ補助ストライプ幅を備えることができ、第１のトウ位置合わせ補助ストライプ幅は、第１のヒール位置合わせ補助ストライプ幅とほぼ等しくすることができる。また、第２のトウ位置合わせ補助ストライプは、第２のトウ位置合わせ補助ストライプ幅を備えることができ、第２のヒール位置合わせ補助ストライプは、第２のヒール位置合わせ補助ストライプ幅を備えることができ、第２のトウ位置合わせ補助ストライプ幅は、第２のヒール位置合わせ補助ストライプ幅とほぼ等しくすることができる。第１のトウ位置合わせ補助ストライプ、第１のヒール位置合わせ補助ストライプ、第２のトウ位置合わせ補助ストライプ、および第２のヒール位置合わせ補助ストライプは、互いにほぼ平行にすることができる。第２のトウ位置合わせ補助ストライプ幅は、第１のトウ位置合わせ補助ストライプ幅より狭くすることができ、第２のヒール位置合わせ補助ストライプ幅は、第１のヒール位置合わせ補助ストライプ幅より狭くすることができる。さらに、第１のトウ位置合わせ補助ストライプは、第２のトウ位置合わせ補助ストライプからトウオフセット領域によってオフセットすることができ、第１のヒール位置合わせ補助ストライプは、第２のヒール位置合わせ補助ストライプからヒールオフセット領域によってオフセットされ、トウオフセット領域は、トウオフセット領域幅を備えることができ、ヒールオフセット領域は、ヒールオフセット領域幅を備えることができ、トウオフセット領域幅は、ヒールオフセット領域幅とほぼ等しくすることができる。また、第１のトウ位置合わせ補助ストライプは、第１のヒール位置合わせ補助ストライプから中心オフセット領域によってオフセットすることができ、中心オフセット領域は、中心オフセット領域幅を備えることができ、トウオフセット領域幅およびヒールオフセット領域幅は、中心オフセット領域幅より狭くすることができる。位置合わせ補助手段は、フロントフェースと直角にすることができる。
【００３１】
さらなる実施形態は、方法を含む。この方法は、ウッドタイプクラブヘッドを準備する工程を含むことができる。ウッドタイプクラブヘッドは、フロントフェースを備える前端部を備えることができる。ウッドタイプクラブヘッドはまた、トウ端部と、トウ端部の反対側のヒール端部と、フロントフェースの反対側の後端部とを備えることができる。また、クラブヘッドは、前方クラウン端部および後方クラウン端部を備えるクラウン面をさらに備えることができ、前方クラウン端部が後端部よりも前端部に近く、後方クラウン端部が前端部よりも後端部に近い。この方法はまた、クラウン面において前方クラウン端部と後方クラウン端部の間に延在する位置合わせ補助手段を準備する工程を含むことができ、位置合わせ補助手段は、約４．２６センチメートルのゴルフボール直径以下である位置合わせ補助幅を備える。さらに、位置合わせ補助手段は、２つ以上の位置合わせ補助ストライプを備えることができる。
【００３２】
いくつかの実施形態は、ドライバクラブヘッドを含む。ドライバクラブヘッドは、前端部を備える。前端部は、フロントフェースを備える。ドライバクラブヘッドはまた、トウ端部と、トウ端部の反対側のヒール端部と、前端部の反対側の後端部と、クラウン面と、を備える。クラウン面は、前方クラウン端部および後方クラウン端部を備える。さらに、ドライバクラブヘッドは、クラウン面における位置合わせ補助手段を備える。前方クラウン端部は、後端部よりも前端部に近くすることができる。また、後方クラウン端部は、前端部よりも後端部に近くすることができる。位置合わせ補助手段は、２つ以上の位置合わせ補助ストライプを備えることができる。２つ以上の位置合わせ補助ストライプは、前方クラウン端部と後方クラウン端部の間に延在する第１の位置合わせ補助ストライプおよび第２の位置合わせ補助ストライプを含むことができる。第１の位置合わせ補助ストライプは、ヒール端部よりもトウ端部に近くすることができ、第２の位置合わせ補助ストライプは、トウ端部よりもヒール端部に近くすることができる。第１の位置合わせ補助ストライプは、第２の位置合わせ補助ストライプとほぼ平行にすることができる。さらに、第１の位置合わせ補助ストライプは、第２の位置合わせ補助ストライプからギャップによってオフセットすることができる。２つ以上の位置合わせ補助ストライプは、第１の色を備えることができ、クラウン面は、第１の色と異なる第２の色を備えることができる。ギャップは、第２の色を備えることができる。また、位置合わせ補助手段は、位置合わせ補助幅を備えることができ、位置合わせ補助幅は、ゴルフボールの直径以下とすることができる。さらに、クラウン面は、クラウン面周縁と、クラウン面周縁内に位置するクラウン内面と、を備えることができ、位置合わせ補助手段は、クラウン面周縁には不在とすることができる。さらに、２つ以上の位置合わせ補助ストライプは、ギャップによって互いにオフセットすることができ、ギャップは、２つ以上の位置合わせ補助ストライプのいずれの幅よりも大きいギャップ幅を備えてもよい。
【００３３】
様々な実施形態が、ウッドタイプクラブヘッドを含む。ウッドタイプクラブヘッドは、前端部を備えることができる。前端部は、フロントフェースを備える。ウッドタイプクラブヘッドはまた、トウ端部と、トウ端部の反対側のヒール端部と、前端部の反対側の後端部と、クラウン面とを備える。クラウン面は、前方クラウン端部および後方クラウン端部を備える。さらに、ウッドタイプクラブヘッドは、クラウン面における、前方クラウン端部と後方クラウン端部の間の位置合わせ補助手段を備えることができる。前方クラウン端部は、後端部よりも前端部に近くすることができ、後方クラウン端部は、前端部よりも後端部に近くすることができる。さらに、位置合わせ補助手段は、２つ以上の位置合わせ補助ストライプを備えることができ、２つ以上の位置合わせ補助ストライプは、ギャップによって互いにオフセットすることができ、同一線上にないことが可能である。２つ以上の位置合わせ補助ストライプは、第１の色を備えることができ、クラウン面は、第１の色と異なる第２の色を備えることができ、ギャップは、第２の色を備えることができる。また、位置合わせ補助手段は、位置合わせ補助幅を備えることができ、位置合わせ補助幅は、ゴルフボールの直径以下とすることができる。さらに、クラウン面は、クラウン面周縁と、クラウン面周縁内に位置するクラウン内面とを備えることができ、位置合わせ補助手段は、クラウン面周縁には不在とすることができる。さらに、２つ以上の位置合わせ補助ストライプは、ギャップによって互いにオフセットすることができ、ギャップは、２つ以上の位置合わせ補助ストライプのいずれの幅よりも大きいギャップ幅を備えることができる。
【００３４】
さらなる実施形態は、ウッドタイプクラブヘッドを含む。ウッドタイプクラブヘッドは、前端部を備える。前端部は、フロントフェースを備える。ウッドタイプクラブヘッドはまた、トウ端部と、トウ端部の反対側のヒール端部と、フロントフェースの反対側の後端部と、クラウン面と、を備える。クラウン面は、前方クラウン端部および後方クラウン端部を備える。さらに、ウッドタイプクラブヘッドは、クラウン面における、前方クラウン端部と後方クラウン端部の間の位置合わせ補助手段を備える。前方クラウン端部は、後端部よりも前端部に近くすることができ、後方クラウン端部は、前端部よりも後端部に近くすることができる。位置合わせ補助手段は、位置合わせ補助幅を備えることができ、位置合わせ補助幅は、ゴルフボールのゴルフボール直径以下とすることができる。位置合わせ補助手段は、２つ以上の位置合わせ補助ストライプを備えることができ、２つ以上の位置合わせ補助ストライプは、互いにほぼ平行にすることができる。また、クラウン面は、クラウン面周縁と、クラウン面周縁内に位置するクラウン内面とを備えることができ、位置合わせ補助手段は、クラウン面周縁には不在とすることができる。また、２つ以上の位置合わせ補助ストライプは、ギャップによって互いにオフセットすることができ、ギャップは、２つ以上の位置合わせ補助ストライプのいずれの幅よりも大きいギャップ幅を備えることができる。
【００３５】
図面を参照すると、図１は、一実施形態によるクラブヘッド１００の平面図を示している。クラブヘッド１００は、単に例示であって、本明細書に提示される実施形態に限定されない。クラブヘッド１００は、特に図示されないまたは本明細書に説明されない多くの異なる実施形態または例で用いることができる。
【００３６】
クラブヘッド１００には、任意の適切なウッドタイプゴルフクラブヘッド（例えば、ドライバクラブヘッド、フェアウェイウッドクラブヘッド、ハイブリッドクラブヘッドなど）が含まれうる。多くの実施形態では、クラブヘッド１００にはメタルウッドゴルフクラブヘッドが含まれうるが、クラブヘッド１００は、他の任意の適切な材料を含むことができる。様々な実施形態において、クラブヘッド１００は中空とすることができる。
【００３７】
図１を参照すると、クラブヘッド１００が前端部１０１を備え、前端部１０１はフロントフェース１０５を備えている。フロントフェース１０５は、クラブヘッド１００の打撃面および／または打撃板を表すことができる。クラブヘッド１００は、フロントフェースの１０５の反対側の後端部１０２を備える。クラブヘッドはまた、トウ端部１０３、およびトウ端部１０３の反対側のヒール端部１０４を備える。
【００３８】
また、クラブヘッド１００は、クラウン面１０６を備える。クラウン面１０６は、前方クラウン端部１０７、後方クラウン端部１０８、および位置合わせ補助手段１０９を備える。クラウン面１０６は、例えば、クラブヘッド１００の上端部において、フロントフェース１０５から後端１０２に向かって延びることができる。したがって、多くの実施形態で、クラウン面１０６は、クラブヘッド１００の上端部において、フロントフェース１０５、後端部１０２、トウ端部１０３、およびヒール端部１０４によって囲まれることがある。
【００３９】
また、クラブヘッド１００は、クラウン面１０６に隣接するスカート面を備えることができる。クラウン面１０６と同様に、スカート面は、フロントフェース１０５から後端部１０２に向かって延びることができる。したがって、多くの実施形態で、スカート面は、フロントフェース１０５、後端部１０２、トウ端部１０３、およびヒール端部１０４によって囲まれることがある。
【００４０】
いくつかの実施形態では、クラウン面１０６および／またはスカート面は、クラウン面１０６、ならびに／または後端部１０２、トウ端部１０３、および／もしくはヒール１０４の境界において、それぞれ、後端部１０２、トウ端部１０３、および／もしくはヒール端部１０４に向かってかつ／または一体となるように湾曲および／または面取りされうる。一実施形態では、位置合わせ補助手段１０９は、クラウン面１０６のみに位置する。しかし、別の実施形態では、位置合わせ補助手段１０９は、クラウン面１０６、およびクラブヘッド１００の他の部分（複数可）に位置する。例えば、位置合わせ補助手段１０９は、クラウン面１０６に位置し、かつ、（ａ）クラウン面１０６とクラブヘッド１００のソールとの間のスカート面、または（ｂ）クラウン面１０６とフロントフェース１０５との間の湾曲および／もしくは面取りされた面の、一方または両方に位置することができる。
【００４１】
前方クラウン端部１０７は、後端部１０２よりも前端部１０１に近く、後方クラウン端部１０８は、前端部１０１よりも後端部１０２に近い。例えば、前方クラウン端部１０７は、フロントフェース１０５がクラウン面１０６と接する箇所を分ける線または領域を意味することができる。また、後方クラウン端部１０８は、後端部１０２においてクラウン面１０６がクラブヘッド１００のスカート面と接する箇所を分ける線または領域を意味することができる。しかし、他の実施形態では、前方クラウン端部１０７は、後端部１０２よりも前端部１０１に近いクラウン面１０６の任意の線または領域を意味することができ、後方クラウン端部１０８は、前端部１０１よりも後端部１０２に近いクラウン面１０６の任意の線または領域を意味することができる。
【００４２】
位置合わせ補助手段１０９は、クラウン面１０６を横切って前方クラウン端部１０７と後方クラウン端部１０８との間に延在することができる。いくつかの実施形態では、フロントフェース１０５および／またはクラブヘッド１００のスカート面が位置合わせ補助手段１０９を備えることもできる。したがって、これらの実施形態では、位置合わせ補助手段１０９は、フロントフェース１０５、後方クラウン端１０２におけるスカート面、および／またはクラブヘッド１００のソールも横切って延びることができる。したがって、位置合わせ補助手段１０９が、フロントフェース１０５およびスカート面を横切って延びる場合、位置合わせ補助手段１０９は、完全にクラブヘッド１００の周りに延在して閉ループを形成することができる。また、位置合わせ補助手段１０９は、クラウン面１０６を横切る経路の一部分のみに延びることもでき、この場合、例えば、前方クラウン端部１０７および／または後方クラウン端部１０８は、それぞれ、フロントフェース１０５とクラウン面１０６との境界ならびにクラウン面１０６とクラブヘッド１００のスカート面との境界を分ける線（複数可）および／または領域（複数可）以外のクラウン面１０６の線（複数可）および／または領域（複数可）を意味する。しかしながら、多くの実施形態では、前方クラウン端部１０７および／または後方クラウン端部１０８は、それぞれ、フロントフェース１０５とクラウン面１０６との境界、ならびに、クラウン面１０６とクラブヘッド１００のスカート面との境界を分けるクラウン面１０６の線（複数可）および／または領域（複数可）を意味することがある。したがって、クラウン面１０６、フロントフェース１０５、および／またはスカート面の外側境界が面取りおよび／または湾曲される、クラブヘッド１００の実施形態では、位置合わせ補助手段１０９は、面取りおよび／または湾曲を経て、（ａ）フロントフェース１０５とクラウン面１０６との境界、および／または（ｂ）クラウン面１０６とスカート面との境界にまで延びることができ、かつ／または適用可能な場合は逆も同様である。いずれにしても、位置合わせ補助手段１０９は、クラブヘッド１００（例えば、クラブヘッド１００を備えるゴルフクラブ）が使用されるとき、および／またはクラブヘッド１００がアドレス位置にあるとき、クラブヘッド１００の使用者（複数可）が（例えば、クラブヘッド１００の上方から見下ろしながら）位置合わせ補助手段１０９を見ることができるように構成することができる。
【００４３】
位置合わせ補助手段１０９は、トウ端部１０３とヒール端部１０４の間のクラブフェース１０５の中心の位置を使用者（複数可）に示すことができ、かつ／または、望ましい様式でゴルフボールを打つために、クラブヘッド１００が位置合わせされている確証を使用者（複数可）に与えることができる。例えば、位置合わせ補助手段１０９は、（例えば、ゴルフボールを打つときにフロントフェース１０５がゴルフボールにスクエアにアドレスするように、）フロントフェース１０５と直交するクラブヘッド１００のスイング経路の一部分、例えば、ゴルフクラブのバックスイングの初めのテイクアウェイ部分などを示すことができる。
【００４４】
位置合わせ補助手段１０９は、位置合わせ補助幅１１０を備えることができる。多くの実施形態では、位置合わせ補助手段１０９が、クラウン面１０６、フロントフェース１０５、および／またはクラブヘッド１００のスカート面を横切って延びるとき、位置合わせ補助幅１１０は、実質的に一定に留まることができる。多くの実施形態では、位置合わせ補助幅１１０は、（例えば、約４．２６センチメートル以上の）ゴルフボール直径とほぼ等しくすることができる。このようにして、位置合わせ補助手段１０９は、ゴルフボールとのスクエアの接触を確実にするために、ゴルフボールの縁端と正確に位置合わせすることができる。他の実施形態では、位置合わせ補助幅１１０は、ゴルフボール直径より大きいまたは小さいことがある。
【００４５】
位置合わせ補助手段１０９は、クラブヘッド１００をゴルフボールと位置合わせするための任意の適切なグラフィックを備えることができるが、多くの実施形態では、位置合わせ補助手段１０９は、１つまたは複数の位置合わせ補助ストライプ１１１（例えば、２つの位置合わせ補助ストライプ、３つの位置合わせ補助ストライプ、４つの位置合わせ補助ストライプ、５つの位置合わせ補助ストライプ、６つの位置合わせ補助ストライプ、７つの位置合わせ補助ストライプ、８つの位置合わせ補助ストライプ、９つの位置合わせ補助ストライプなど）を備えることができる。位置合わせ補助手段１０９はまた、クラブヘッド１００のクラブヘッドのタイプを示すことができる。例えば、位置合わせ補助手段１０９は、ドライバクラブヘッド、フェアウェイウッドクラブヘッド、またはハイブリッドクラブヘッドを示すように構成することができる。別の例では、位置合わせ補助手段１０９は、高速、長距離、パワーなどの印象を伝えるために、レーシングストライプ、またはレーシングカー業界を表す他の適切な印に類似するように構成することができる。
【００４６】
レーシングストライプは、クラブヘッド１００の使用者（複数可）の気を散らすことなく位置合わせを効果的に示すことができる。位置合わせ補助ストライプ（複数可）１１１を複数の位置合わせ補助ストライプとして実装することで、位置合わせ補助手段１０９の改善された視覚化によって、フロントフェース１０５を、ゴルフボールと位置合わせすることを可能にしてもよい。なお、クラブヘッド１００の使用者（複数可）を刺激しすぎる（例えば、気を散らす）のを回避するために、位置合わせ補助ストライプの数を制限することもできる。したがって、いくつかの実施形態では、位置合わせ補助手段１０９を実装することは、クラウン面１０６を乱雑にすることなく、フロントフェース１０５をゴルフボールと位置合わせできるように、位置合わせ補助ストライプの望ましい数を求めることを伴うことがある。一般的に、位置合わせ補助手段１０９がストライプを備えるかどうかに関わらず、位置合わせ補助手段１０９は、実質的に線状に見えることが可能である。
【００４７】
また、例えば、位置合わせ補助手段１０９のレーシングストライプは、レーシングカーの「ドライバ」とともにゴルフ用語の「ドライバ」を連想させることなどによって、クラブヘッド１００がドライバクラブヘッドであることを示すこともできる。別の例では、位置合わせ補助手段１０９は、森林に類似するように構成された高木または一群の木のグラッフィックを備えることができる。したがって、クラブヘッド１００がフェアウェイウッドクラブヘッドからなる場合、位置合わせ補助手段１０９は、高木または一群の木のグラフィックを備えることで、森林の「ウッド」とともにゴルフ用語「フェアウェイウッド」を連想させることができる。また、木（複数可）は、木の幹（複数可）がクラブヘッド１００をスイングするための位置合わせを示すことができるように図示されてもよい。他の例では、会社のロゴ、ブランドロゴ、商標、商標名など、他の任意の適切なグラッフィックを実装することができる。
【００４８】
多くの実施形態では、位置合わせ補助ストライプ１１１（複数可）は、位置合わせ補助ストライプ１１１（複数可）の特定の位置合わせ補助ストライプ（例えば、より厚い位置合わせ補助ストライプ）を強調するために、異なる幅を備える、かつ／または互いにオフセットするように構成されることが可能であり、これらについては、その概念をより明確に述べる様々な例に関連して、後でさらに詳細に説明する。位置合わせ補助ストライプ（複数可）１１１の幅（複数可）および／または位置合わせ補助ストライプ（複数可）１１１間のオフセット（複数可）の幅（複数可）のいずれも、位置合わせ補助ストライプ（複数可）１１１の幅（複数可）および／またはオフセット（複数可）の幅（複数可）の互いの１つまたは複数の比に応じて決定することができる。いくつかの実施形態では、これらの比は、クラウン面１０６が乱雑に見える、かつ／または使用者（複数可）を補助するよりむしろ気を散らすようにする位置合わせ補助手段１０９の構成を避けるように決定することができる。また、位置合わせ補助ストライプ（複数可）１１１は、（ａ）互いに異なる、かつ／あるいは（ｂ）フロントフェース１０５、クラウン面１０６、および／またはクラブヘッド１００のスカート面とは異なる属性（例えば、異なる色および／または表面仕上げ）を備えることができ、これは、（ｉ）位置合わせ補助ストライプ（複数可）１１１の１つの位置合わせ補助ストライプを、他から識別できるようにするため、かつ／または（ｉｉ）位置合わせ補助手段１０９を、フロントフェース１０５、クラウン面１０６、および／またはクラブヘッド１００のスカート面から識別できるようにするためである。この実装は、例えば、位置合わせ補助ストライプ（複数可）１１１が、互いにオフセットまたは離間されずむしろ互いに面一である場合に利用されうる。
【００４９】
したがって、多くの例では、位置合わせ補助ストライプ（複数可）１１１は、２つの位置合わせ補助ストライプ１１２を含み、クラブヘッド１００の使用者（複数可）のための２つの異なる基準点を提供する。２つの位置合わせ補助ストライプ１１２は、トウ位置合わせ補助ストライプ１１３およびヒール位置合わせ補助ストライプ１１４を備えることができる。これらの実施形態では、トウ位置合わせ補助ストライプ１１３は、ヒール端部１０４よりもトウ端部１０３に近く、ヒール位置合わせ補助ストライプ１１４は、トウ端部１０３よりもヒール端部１０４に近い。
【００５０】
トウ位置合わせ補助ストライプ１１３は、トウ位置合わせ補助ストライプ幅１１５を備え、ヒール位置合わせ補助ストライプ１１４は、ヒール位置合わせ補助ストライプ幅１１６を備える。多くの実施形態では、トウ位置合わせ補助ストライプ幅１１５は、ヒール位置合わせ補助ストライプ幅１１６とほぼ等しくすることができる。いくつかの実施形態では、トウ位置合わせ補助ストライプ１１３は、ヒール位置合わせ補助ストライプ幅１１６からオフセットすることができる。他の実施形態では、トウ位置合わせ補助ストライプ１１３は、ヒール位置合わせ補助ストライプ１１４と面一にすることができる。これらの他の実施形態では、トウ位置合わせ補助ストライプ１１３およびヒール位置合わせ補助ストライプ１１４は、クラブヘッド１００の使用者（複数可）がトウ位置合わせ補助ストライプ１１３とヒール位置合わせ補助ストライプ１１４を互いから識別することができるように、異なる色を備えることができる。トウ位置合わせ補助ストライプ１１３は、ヒール位置合わせ補助ストライプ１１４と平行にすることができる。
【００５１】
いくつかの実施形態では、トウ位置合わせ補助ストライプ１１３は、トウ位置合わせ補助ストライプ幅１１５および／またはヒール位置合わせ補助ストライプ幅１１６未満の距離によって、ヒール位置合わせ補助ストライプ１１４からオフセットすることができる。このようにして、トウ位置合わせ補助ストライプ１１３およびヒール位置合わせ補助ストライプ１１４を強調することができ、すなわち、トウ位置合わせ補助ストライプ１１３をヒール位置合わせ補助ストライプ１１４からオフセットすることによって形成されたオフセットストライプが、これらの実施形態における主要な基準点として機能しうるトウ位置合わせ補助ストライプ１１３およびヒール位置合わせ補助ストライプ１１４と比較して、周辺的な基準点として機能できるようになされる。トウ位置合わせ補助ストライプ幅１１５および／またはヒール位置合わせ補助ストライプ幅１１６より大きい距離によってヒール位置合わせ補助ストライプ１１４をトウ位置合わせ補助ストライプ１１３からオフセットすることにより、逆の強調をもたらすことができる。
【００５２】
次の図を参照すると、図２は、一実施形態による、位置合わせ補助ストライプ（複数可）２１１が３つの位置合わせ補助ストライプ２１２を含む、例示的クラブヘッド２００の平面図を示している。クラブヘッド２００は、クラブヘッド１００（図１）と同様とすることができる。したがって、クラブヘッド２００の類似の番号が付された参照要素は、クラブヘッド１００の類似の番号が付された参照要素と同様または同一にされうる。
【００５３】
クラブヘッド２００は、前端部２０１および後端部２０２を備えることができる。また、クラブヘッド２００は、前方クラウン端部２０７および後方クラウン端部２０８を備えることもできる。
【００５４】
３つの位置合わせ補助ストライプ２１２は、トウ位置合わせ補助ストライプ２１３、ヒール位置合わせ補助ストライプ２１４、および中心位置合わせ補助ストライプ２１７を含むことができる。トウ位置合わせ補助ストライプ２１３は、ヒール端部２０４よりもトウ端部２０３に近く、ヒール位置合わせ補助ストライプ２１４は、トウ端部２０３よりもヒール端部２０４に近く、中心位置合わせ補助ストライプ２１７は、トウ位置合わせ補助ストライプ２１３とヒール位置合わせ補助ストライプ２１４の間にある。
【００５５】
トウ位置合わせ補助ストライプ２１３は、トウ位置合わせ補助ストライプ幅２１５を備え、ヒール位置合わせ補助ストライプ２１４は、ヒール位置合わせ補助ストライプ幅２１６を備え、中心位置合わせ補助ストライプ２１７は、中心位置合わせ補助ストライプ幅２１８を備える。中心位置合わせ補助ストライプ幅２１８は、トウ位置合わせ補助ストライプ幅２１５およびヒール位置合わせ補助ストライプ幅２１６より広くすることができる。例えば、トウ位置合わせ補助ストライプ幅２１５およびヒール位置合わせ補助ストライプ幅２１６はそれぞれ、約０．７６２センチメートルとすることができ、中心位置合わせ補助ストライプ幅２１８は、約１．８８センチメートルとすることができる。これらまたは他の実施形態では、トウ位置合わせ補助ストライプ幅２１５は、ヒール位置合わせ補助ストライプ幅２１６とほぼ等しくすることができる。他の実施形態では、中心位置合わせ補助ストライプ幅２１８は、トウ位置合わせ補助ストライプ幅２１５およびヒール位置合わせ補助ストライプ幅２１６より狭くすることができる。
【００５６】
図１における２つの位置合わせ補助ストライプと同様に、中心位置合わせ補助ストライプ幅２１８が、トウ位置合わせ補助ストライプ幅２１５およびヒール位置合わせ補助ストライプ幅２１６より広いかまたは狭いかは、（ａ）トウ位置合わせ補助ストライプ幅２１３およびヒール位置合わせ補助ストライプ幅２１４、または（ｂ）中心位置合わせ補助ストライプ２１７のいずれを強調するのが望ましいかに基づくことが可能である。より詳細には、中心位置合わせ補助ストライプ幅２１８が、トウ位置合わせ補助ストライプ幅２１５およびヒール位置合わせ補助ストライプ幅２１６より広い場合、中心位置合わせ補助ストライプ２１７を強調することができ、トウ位置合わせ補助ストライプ２１３およびヒール位置合わせ補助ストライプ２１４は、周辺的基準点として機能することができる。また、中心位置合わせ補助ストライプ幅２１８が、トウ位置合わせ補助ストライプ幅２１５およびヒール位置合わせ補助ストライプ幅２１６より狭い場合、中心位置合わせ補助ストライプ２１７は周辺的基準点として機能することができ、トウ位置合わせ補助ストライプ２１３およびヒール位置合わせ補助ストライプ２１４は、主要な基準点として機能することができる。中心位置合わせ補助ストライプ２１７をトウ位置合わせ補助ストライプ２１３およびヒール位置合わせ補助ストライプ２１４に対して強調することにより、中心位置合わせ補助ストライプ２１７を介してゴルフボールを位置合わせ補助手段２０９と位置合わせすることに使用者の意識をより集中させられるとともに、やはり、トウ位置合わせ補助ストライプ２１３およびヒール位置合わせ補助ストライプ２１４を、位置合わせ補助手段２０９の範囲を強調するように（および、境界をゴルフボールの外周と位置合わせするように）設けることができる。
【００５７】
やはり、図１における２つの位置合わせ補助ストライプと同様に、トウ位置合わせ補助ストライプ２１３、ヒール位置合わせ補助ストライプ２１４、および中心位置合わせ補助ストライプ２１７は、トウ位置合わせ補助ストライプ２１３、ヒール位置合わせ補助ストライプ２１４、および／または中心位置合わせ補助ストライプ２１７の他の１つまたは複数と平行にすることができる。トウ位置合わせ補助ストライプ２１３、ヒール位置合わせ補助ストライプ２１４、および中心位置合わせ補助ストライプ２１７を互いに平行に実装することにより、位置合わせ補助手段２０９によってシミュレートされる打撃経路を強調することができる。
【００５８】
トウ位置合わせ補助ストライプ２１３および／またはヒール位置合わせ補助ストライプ２１４は、適用可能な場合、中心位置合わせ補助ストライプ２１７から同じ程度または異なる程度にオフセットすることができる。例えば、トウ位置合わせ補助ストライプ２１３およびヒール位置合わせ補助ストライプ２１４はそれぞれ、中心位置合わせ補助ストライプ２１７から０．４３２センチメートルだけオフセットすることができる。これらの例では、トウ位置合わせ補助ストライプ２１３は、ヒール位置合わせ補助ストライプ２１４から、中心位置合わせ補助ストライプ幅２１８（例えば、１．８８センチメートル）に加えて０．８６４センチメートルを隔てることができる。したがって、これらの実施形態では、位置合わせ補助幅２１０は、ゴルフボールのおおよその直径である約４．２６センチメートルとすることができる。トウ位置合わせ補助ストライプ２１３および／またはヒール位置合わせ補助ストライプ２１４を中心位置合わせ補助ストライプ２１７からオフセットすることにより、トウ位置合わせ補助ストライプ２１３、ヒール位置合わせ補助ストライプ２１４、および中心位置合わせ補助ストライプ２１７に枠付けをしてさらに強調することができる。他の例では、トウ位置合わせ補助ストライプ２１３および／またはヒール位置合わせ補助ストライプ２１４は、中心位置合わせ補助ストライプ２１７と面一にすることができる。これらの実施形態では、トウ位置合わせ補助ストライプ２１３および／またはヒール位置合わせ補助ストライプ２１４は、トウ位置合わせ補助ストライプ２１３および／またはヒール位置合わせ補助ストライプ２１４を中心位置合わせ補助ストライプ２１７と見分けられるように、中心位置合わせ補助ストライプ２１７と異なる色または表面仕上げを備えることができる。
【００５９】
ここで図１および図２をともに参照すると、位置合わせ補助手段１０９および／または位置合わせ補助手段２０９はそれぞれ、フロントフェース１０５および／またはフロントフェース２０５と直角にして、例えば、フロントフェース１０５および／またはフロントフェース２０５にゴルフボールをスクエアに打撃させるスイング経路の一部分を示すことができる。また、他の実施形態では、位置合わせ補助手段３０９（図３）および／または位置合わせ補助手段４０９（図４）はそれぞれ、後述のように、フロントフェース３０５（図３）および／またはフロントフェース４０５（図４）に対して角度を付けることができる。
【００６０】
例えば、図３は、一実施形態による、位置合わせ補助手段３０９がフロントフェース３０５と鋭角３２１を形成し、鋭角３２１はヒール端部３０４に対して開きかつ／または偏る、クラブヘッド３００を示す。クラブヘッド３００は、クラブヘッド１００（図１）および／またはクラブヘッド２００（図２）と同様とすることができ、したがって、図３の類似の番号が付された参照要素は、図１および２の類似の番号が付された参照要素と同様または同一にされうる。したがって、クラブヘッド３００は、前端部３０１、後端部３０２、トウ端部３０３、およびヒール端部３０４を備えることができる。また、クラブヘッド３００は、前方クラウン端部３０７および後方クラウン端部３０８を備えることができる。また、図３に示すように、位置合わせ補助手段３０９（図３）は、フロントフェース３０５と（例えば、約４５度以上かつ約９０度未満の）鋭角３２１を形成することができる。鋭角３２１（図３）は、ヒール端部３０４に対して開きかつ／または偏ることができる。
【００６１】
他の実施形態として、図４は、図１の実施形態によるクラブヘッドであって、位置合わせ補助手段４０９（図３）が、フロントフェース４０５と鋭角４２１を形成し、鋭角４２１はトウ端部４０３に対し開きかつ／または偏る、クラブヘッド４００を示す。クラブヘッド４００は、クラブヘッド１００（図１）および／またはクラブヘッド２００（図２）と同様とすることができ、したがって、図４の類似の番号が付された参照要素は、図１および２の類似の番号が付された参照要素と同様でありうる。クラブヘッド４００は、前端部４０１、後端部４０２、トウ端部４０３、およびヒール端部４０４を備えることができる。また、クラブヘッド４００は、前方クラウン端部４０７および後方クラウン端部４０８を備えることができる。また、図４に示すように、位置合わせ補助手段４０９は、フロントフェース４０５と（例えば、約４５度以上かつ約９０度未満の）鋭角４２１を形成することができる。鋭角４２１（図４）は、トウ端部４０３に対して開きかつ／または偏ることができる。
【００６２】
図３および図４を参照すると、位置合わせ補助手段３０９に角度を付けて鋭角３２１を形成することによって（図３）、かつ／または位置合わせ補助手段４０９に角度を付けて鋭角４２１を形成することによって（図４）、位置合わせ補助手段３０９および／または位置合わせ補助手段４０９は、使用者自身のゴルフスイングの望ましくない傾向を知っているクラブヘッド３００および／または４００の使用者（複数可）を支援することができる。例えば、使用者（複数可）が、フロントフェース３０５とゴルフボールを接触させるときにクラブヘッドを大きく「開き」すぎた状態にする傾向にある場合、位置合わせ補助手段３０９に角度を付けて鋭角３２１を形成することにより（図３）、図５に示すように、使用者（複数可）にクラブフェース３０５を「閉じる」ように気付かせるかつ／または示唆することができる。したがって、図５は、位置合わせ補助手段３０９がクラブフェース３０５と鋭角３２１を形成している、位置合わせ補助手段３０９を使用しない操作の際の、図３の実施形態による例示的クラブヘッド３００を示す。他の例では、使用者（複数可）が、フロントフェース４０５とゴルフボールを接触させるときにクラブヘッドを大きく「閉じ」すぎた状態にする傾向にある場合、位置合わせ補助手段４０９に角度を付けて鋭角４２１を形成することにより（図４）、図６に示すように、使用者（複数可）にクラブフェース４０５を「開く」ように気付かせるかつ／または示唆することができる。例えば、図６は、位置合わせ補助手段４０９がクラブフェース４０５と鋭角４２１を形成しており、操作の際、および位置合わせ補助手段４０９を使用する際の、図４の実施形態による例示的クラブヘッド４００を示す。鋭角３２１（図３および図５）および／または鋭角４２１（図４および図６）の大きさは、フロントフェース３０５および／またはフロントフェース４０５をゴルフボールにスクエアに打ち当てるために、クラブヘッド１００の特定の使用者（複数可）が自身のスイング（複数可）を修正する必要がある度合いに応じて変えることができる。
【００６３】
次の図を参照すると、図７が方法７００の実施形態のフローチャートを示している。方法７００は、単に例示であって、本明細書に提示される実施形態に限定されない。方法７００は、特に図示されないまたは本明細書に説明されない多くの異なる実施形態または例で用いることができる。いくつかの実施形態では、方法７００の手順、プロセス、および／または動作は、提示される順序で実行することができる。他の実施形態では、方法７００の手順、プロセス、および／または動作は、他の任意の適切な順序で実行することができる。さらに他の実施形態では、方法７００の手順、プロセス、および／または動作のうちの１つまたは複数を組み合わせるまたは省くことができる。
【００６４】
図７を参照すると、方法７００は、クラブヘッドを準備する手順７０１を含むことができる。多くの実施形態では、クラブヘッドは、クラブヘッド１００（図１）、クラブヘッド２００（図２）、クラブヘッド３００（図３）、クラブヘッド４００（図４）、クラブヘッド９００（図９）、クラブヘッド１０００（図１０）、クラブヘッド１１００（図１１）、および／またはクラブヘッド１２００（図１２）と同様または同一にすることができる。
【００６５】
方法７００は、続いて、位置合わせ補助手段が、クラウン面の前方クラウン端部とクラウン面の後方クラウン端部との間に延在するように、クラブヘッドのクラウン面において位置合わせ補助手段を準備する手順７０２を行う。位置合わせ補助手段は、位置合わせ補助手段１０９（図１）、位置合わせ補助手段２０９（図２）、位置合わせ補助手段３０９（図３）、位置合わせ補助手段４０９（図４）、位置合わせ補助手段９０９（図９）、位置合わせ補助手段１００９（図１０）、位置合わせ補助手段１１０９（図１１）、および／または位置合わせ補助手段１２０９（図１２）と同様または同一にすることができる。一例として、クラウン面は、クラウン面１０６（図１）、クラウン面２０６（図２）、クラウン面３０６（図３）、および／またはクラウン面４０６（図４）と同様または同一にすることができる。図８は、図７の実施形態による位置合わせ補助手段を準備する例示的手順７０２を示す。
【００６６】
図８を参照すると、手順７０２は、位置合わせ補助手段が位置合わせ補助幅を備えるように位置合わせ補助手段を準備するプロセス８０１を含むことができる。一例として、位置合わせ補助幅は、位置合わせ補助幅１１０（図１）および／または位置合わせ補助幅２１０（図２）と同様または同一にすることができる。
【００６７】
手順７０２は、位置合わせ補助手段が１つまたは複数の位置合わせ補助ストライプを備えるように位置合わせ補助手段を準備するプロセス８０２を含むことができる。位置合わせ補助ストライプ（複数可）は、位置合わせ補助ストライプ（複数可）１１１（図１）、位置合わせ補助ストライプ（複数可）２１１（図２）、位置合わせ補助ストライプ（複数可）９１１（図９）、位置合わせ補助ストライプ（複数可）１０１１（図１０）、位置合わせ補助ストライプ（複数可）１１１１（図１１）、および／または位置合わせ補助ストライプ（複数可）１２１１（図１２）と同様または同一にすることができる。いくつかの実施形態では、プロセス８０２は、２つの位置合わせ補助ストライプを準備することを含むことができる。さらなる実施形態では、プロセス８０２は、３つの位置合わせ補助ストライプを準備することを含むことができる。他の実施形態では、プロセス８０２は、４つの位置合わせ補助ストライプを準備することを含むことができる。さらに他の実施形態では、プロセス８０２は、５つの位置合わせ補助ストライプを準備することを含むことができる。２つの位置合わせ補助ストライプは、２つの位置合わせ補助ストライプ１１２（図１）と同様または同一にすることができ、３つの位置合わせ補助ストライプは、３つの位置合わせ補助ストライプ２１２（図２）と同様または同一にすることができ、４つの位置合わせ補助ストライプは、４つの位置合わせ補助ストライプ１２１２（図１２）と同様または同一にすることができ、５つの位置合わせ補助ストライプは、５つの位置合わせ補助ストライプ９１２（図９）、５つの位置合わせ補助ストライプ１０１２（図１０）、および／または５つの位置合わせ補助ストライプ１１１２（図１１）と同様または同一にすることができる。
【００６８】
手順７０２は、位置合わせ補助手段がクラブヘッドのフロントフェースと直角になるように位置合わせ補助手段を準備するプロセス８０３を含むことができる。一例として、フロントフェースは、フロントフェース１０５（図１）、フロントフェース２０５（図２）、フロントフェース３０５（図３）、および／またはフロントフェース４０５（図４）と同様または同一にすることができる。
【００６９】
手順７０２は、位置合わせ補助手段がクラブヘッドのフロントフェースと鋭角を形成するように位置合わせ補助手段を準備するプロセス８０４を含むことができる。鋭角は、鋭角３２１（図３）および／または鋭角４２１（図４）と同様または同一とすることができる。手順８０１〜８０４は、任意の順序および／または互いに同時に実行することができる。
【００７０】
再び図面に戻ると、図９は、一実施形態による、位置合わせ補助手段９０９の位置合わせ補助ストライプ（複数可）９１１が５つの位置合わせ補助ストライプ９１２を含む、例示的クラブヘッド９００の平面図を示している。クラブヘッド９００は、クラブヘッド１００（図１）、クラブヘッド２００（図２）、クラブヘッド３００（図３）、および／またはクラブヘッド４００（図４）と同様にすることができる。したがって、クラブヘッド９００の類似の番号が付された参照要素は、クラブヘッド１００、クラブヘッド２００、クラブヘッド３００、および／またはクラブヘッド４００の類似の番号が付された参照要素と同様または同一にされうる。
【００７１】
５つの位置合わせ補助ストライプ９１２は、第１のトウ位置合わせ補助ストライプ９１３、第２のトウ位置合わせ補助ストライプ９３０、第１のヒール位置合わせ補助ストライプ９１４、第２のヒール位置合わせ補助ストライプ９３１、および中心位置合わせ補助ストライプ９１７を含むことができる。５つの位置合わせ補助ストライプのそれぞれは、互いに平行にすることができる。第１のトウ位置合わせ補助ストライプ９１３は、ヒール端部９０４よりもトウ端部９０３に近く、第２のトウ位置合わせ補助ストライプ９３０は、第１のトウ位置合わせ補助ストライプ９１３よりもトウ端部９０３に近く、第１のヒール位置合わせ補助ストライプ９１４は、トウ端部９０３よりもヒール端部９０４に近く、第２のヒール位置合わせ補助ストライプ９３１は、第１のヒール位置合わせ補助ストライプ９１４よりもヒール端部９０４に近く、中心位置合わせ補助ストライプ９１７は、第１のトウ位置合わせ補助ストライプ９１３と第１のヒール位置合わせ補助ストライプ９１４から実質的に間隔が等しく、またヒール端部９０４とトウ端部９０３から実質的に間隔が等しくすることができる。
【００７２】
いくつかの実施形態では、図９に示すように、第１のトウ位置合わせ補助ストライプ９１３は、第２のトウ位置合わせ補助ストライプ９３０と接するもしくは連続することができ、かつ／または、第１のヒール位置合わせ補助ストライプ９１４は、第２のヒール位置合わせ補助ストライプ９３１と接することができる。これらの実施形態では、第１および第２のトウ位置合わせ補助ストライプ９１３および９２０間にギャップが存在せず、第１および第２のヒール位置合わせ補助ストライプ９１４および９３１間にギャップが存在しない。また、これらの実施形態では、第１のトウ位置合わせ補助ストライプ９１３は、第２のトウ位置合わせ補助ストライプ９３０の色（例えば、銀色、灰色、緑など）とは異なる色（例えば、白など）を備えることができ、かつ／または第１のヒール位置合わせ補助ストライプ９１４は、第２のヒール位置合わせ補助ストライプ９３１の色（例えば、銀色、灰色、緑など）とは異なる色（例えば、白など）を備えることができ、これにより、例えば、第２のトウ位置合わせ補助ストライプ９３０から第１のトウ位置合わせ補助ストライプ９１３、および／または第２のヒール位置合わせ補助ストライプ９３１から第１のヒール位置合わせ補助ストライプ９１４を使用者が見分けるのを助ける。さらに、これらの実施形態では、第１のトウ位置合わせ補助ストライプ９１３および第１のヒール位置合わせ補助ストライプ９１４は、同じ色もしくは異なる色を備えることができ、かつ／または、第２のトウ位置合わせ補助ストライプ９３０および第２のヒール位置合わせ補助ストライプ９３１は、同じ色もしくは異なる色を備えることができる。加えて、これらの実施形態では、第１のトウ位置合わせ補助ストライプ９１３、第１のヒール位置合わせ補助ストライプ９１４、および中心位置合わせ補助ストライプ９１７は、同じ色または異なる色を備えることができる。
【００７３】
中心位置合わせ補助ストライプ９１７は、第１のトウ位置合わせ補助ストライプ９１３および第１のヒール位置合わせ補助ストライプ９１４より広くすることができ、第１のトウ位置合わせ補助ストライプ９１３および第１のヒール位置合わせ補助ストライプ９１４は、第２のトウ位置合わせ補助ストライプ９３０および第２のヒール位置合わせ補助ストライプ９３１より広くすることができる。また、第１のトウ位置合わせ補助ストライプ９１３ならびに第１のヒール位置合わせ補助ストライプ９１４は、第１のトウ位置合わせ補助ストライプ９１３と中心位置合わせ補助ストライプ９１７の間のギャップ、ならびに第１のヒール位置合わせ補助ストライプ９１４と中心位置合わせ補助ストライプ９１７の間のギャップより広くすることができる。さらに、第１のトウ位置合わせ補助ストライプ９１３および第１のヒール位置合わせ補助ストライプ９１４は同じ幅を有することができ、第２のトウ位置合わせ補助ストライプ９３０および第２のヒール位置合わせ補助ストライプ９３１は同じ幅を有することができる。
【００７４】
再び図面に戻ると、図１０は、一実施形態による、位置合わせ補助手段１００９の位置合わせ補助ストライプ（複数可）１０１１が５つの位置合わせ補助ストライプ１０１２を含む、例示的クラブヘッド１０００の平面図を示している。クラブヘッド１０００は、クラブヘッド１００（図１）、クラブヘッド２００（図２）、クラブヘッド３００（図３）、クラブヘッド４００（図４）、および／またはクラブヘッド９００（図９）と同様にすることができる。したがって、クラブヘッド９００の類似の番号が付された参照要素は、クラブヘッド１００、クラブヘッド２００、クラブヘッド３００、クラブヘッド４００、および／またはクラブヘッド９００の類似の番号が付された参照要素と同様または同一にされうる。
【００７５】
５つの位置合わせ補助ストライプ１０１２は、第１のトウ位置合わせ補助ストライプ１０１３、第２のトウ位置合わせ補助ストライプ１０３０、第１のヒール位置合わせ補助ストライプ１０１４、第２のヒール位置合わせ補助ストライプ１０３１、および中心位置合わせ補助ストライプ１０１７を含むことができる。５つの位置合わせ補助ストライプ１０１２のそれぞれは、互いに平行にすることができる。第１のトウ位置合わせ補助ストライプ１０１３は、ヒール端部１００４よりもトウ端部１００３に近く、第２のトウ位置合わせ補助ストライプ１０３０は、第１のトウ位置合わせ補助ストライプ１０１３よりもトウ端部１００３に近く、第１のヒール位置合わせ補助ストライプ１０１４は、トウ端部１００３よりもヒール端部１００４に近く、第２のヒール位置合わせ補助ストライプ１０３１は、第１のヒール位置合わせ補助ストライプ１０１４よりもヒール端部１００４に近く、中心位置合わせ補助ストライプ１０１７は、第１のトウ位置合わせ補助ストライプ１０１３と第１のヒール位置合わせ補助ストライプ１０１４から実質的に間隔が等しく、またヒール端部１００４とトウ端部１００３から実質的に間隔が等しくすることができる。
【００７６】
これらの実施形態では、図１０に示すように、第１のトウ位置合わせ補助ストライプ１０１３は、第２のトウ位置合わせ補助ストライプ１０３０からオフセットすることができ、かつ／または、第１のヒール位置合わせ補助ストライプ１０１４は、第２のヒール位置合わせ補助ストライプ１０３１からオフセットすることができる。したがって、第１および第２のトウ位置合わせ補助ストライプ１０１３および１０３０間にギャップが存在し、第１および第２のヒール位置合わせ補助ストライプ１０１４および１０３１間に別のギャップが存在する。また、同じまたは異なる実施形態において、第１のトウ位置合わせ補助ストライプ１０１３および／または第１のヒール位置合わせ補助ストライプ１０１４は、中心位置合わせ補助ストライプ１０１７からオフセットすることができる。したがって、第１のトウ位置合わせ補助ストライプ１０１３と中心位置合わせ補助ストライプ１０１７の間にギャップが存在し、第１のヒール位置合わせ補助ストライプ１０１４と中心位置合わせ補助ストライプ１０１７の間に別のギャップが存在する。第１のトウ位置合わせ補助ストライプ１０１３は、第１のトウ位置合わせ補助ストライプ１０１３と中心位置合わせ補助ストライプ１０１７の間のギャップより広く、このギャップは、第２のトウ位置合わせ補助ストライプ１０３０、ならびに第２のトウ位置合わせ補助ストライプ１０３０と第１のトウ位置合わせ補助ストライプ１０１３の間のギャップより広い。同様に、第１のヒール位置合わせ補助ストライプ１０１４は、第１のヒール位置合わせ補助ストライプ１０１４と中心位置合わせ補助ストライプ１０１７の間のギャップより広く、このギャップは、第２のヒール位置合わせ補助ストライプ１０３１、ならびに第２のヒール位置合わせ補助ストライプ１０３１と第１のヒール位置合わせ補助ストライプ１０１４の間のギャップより広い。また、第１のトウ位置合わせ補助ストライプ１０１３および第１のヒール位置合わせ補助ストライプ１０１４は同じ幅を有することができ、第２のトウ位置合わせ補助ストライプ１０３０および第２のヒール位置合わせ補助ストライプ１０３１は同じ幅を有することができる。
【００７７】
図面を先に進むと、図１１は、一実施形態による、位置合わせ補助手段１１０９の位置合わせ補助ストライプ（複数可）１１１１が５つの位置合わせ補助ストライプ１１１２を含む、例示的クラブヘッド１１００の平面図を示している。クラブヘッド１１００は、クラブヘッド１００（図１）、クラブヘッド２００（図２）、クラブヘッド３００（図３）、クラブヘッド４００（図４）、クラブヘッド９００（図９）、および／またはクラブヘッド１０００（図１０）と同様にすることができる。したがって、クラブヘッド９００の類似の番号が付された参照要素は、クラブヘッド１００、クラブヘッド２００、クラブヘッド３００、クラブヘッド４００、クラブヘッド９００、および／またはクラブヘッド１０００の類似の番号が付された参照要素と同様または同一にされうる。
【００７８】
５つの位置合わせ補助ストライプ１１１２は、第１のトウ位置合わせ補助ストライプ１１１３、第２のトウ位置合わせ補助ストライプ１１３０、第１のヒール位置合わせ補助ストライプ１１１４、第２のヒール位置合わせ補助ストライプ１１３１、および中心位置合わせ補助ストライプ１１１７を含むことができる。５つの位置合わせ補助ストライプ１１１２のそれぞれは、互いに平行にすることができる。第１のトウ位置合わせ補助ストライプ１１１３は、ヒール端部１１０４よりもトウ端部１１０３に近く、第２のトウ位置合わせ補助ストライプ１１３０は、第１のトウ位置合わせ補助ストライプ１１１３よりもトウ端部１１０３に近く、第１のヒール位置合わせ補助ストライプ１１１４は、トウ端部１１０３よりもヒール端部１１０４に近く、第２のヒール位置合わせ補助ストライプ１１３１は、第１のヒール位置合わせ補助ストライプ１１１４よりもヒール端部１１０４に近く、中心位置合わせ補助ストライプ１１１７は、第１のトウ位置合わせ補助ストライプ１１１３と第１のヒール位置合わせ補助ストライプ１１１４から実質的に間隔が等しく、またヒール端部１１０４とトウ端部１１０３から実質的に間隔が等しくすることができる。
【００７９】
これらの実施形態では、図１１に示すように、第１のトウ位置合わせ補助ストライプ１１１３は、第２のトウ位置合わせ補助ストライプ１１３０からオフセットすることができ、かつ／または、第１のヒール位置合わせ補助ストライプ１１１４は、第２のヒール位置合わせ補助ストライプ１１３１からオフセットすることができる。したがって、第１および第２のトウ位置合わせ補助ストライプ１１１３および１１３０間にギャップが存在し、第１および第２のヒール位置合わせ補助ストライプ１１１４および１１３１間に別のギャップが存在する。また、同じまたは異なる実施形態において、第１のトウ位置合わせ補助ストライプ１１１３および／または第１のヒール位置合わせ補助ストライプ１１１４は、中心位置合わせ補助ストライプ１１１７からオフセットすることができる。したがって、第１のトウ位置合わせ補助ストライプ１１１３と中心位置合わせ補助ストライプ１１１７の間にギャップが存在し、第１のヒール位置合わせ補助ストライプ１１１４と中心位置合わせ補助ストライプ１１１７の間に別のギャップが存在する。第１のトウ位置合わせ補助ストライプ１１１３と中心位置合わせ補助ストライプ１１１７の間のギャップは、第１の２位置合わせ補助ストライプ１１３より広く、第１の２位置合わせ補助ストライプ１１３は、第２のトウ位置合わせ補助ストライプ１１３０、ならびに第２のトウ位置合わせ補助ストライプ１１３０と第１のトウ位置合わせ補助ストライプ１１３の間のギャップより広い。同様に、第１のヒール位置合わせ補助ストライプ１１１４と中心位置合わせ補助ストライプ１１１７の間のギャップは、第１のヒール位置合わせ補助ストライプ１１１４より広く、第１のヒール位置合わせ補助ストライプ１１１４は、第２のヒール位置合わせ補助ストライプ１１３１、ならびに第２のヒール位置合わせ補助ストライプ１１３１と第１のヒール位置合わせ補助ストライプ１１１４の間のギャップより広い。
【００８０】
次の図面を参照すると、図１２は、一実施形態による、位置合わせ補助手段１２０９の位置合わせ補助ストライプ（複数可）１２１１が４つの位置合わせ補助ストライプ１２１２を含む、例示的クラブヘッド１２００の平面図を示している。クラブヘッド１２００は、クラブヘッド１００（図１）、クラブヘッド２００（図２）、クラブヘッド３００（図３）、クラブヘッド４００（図４）、クラブヘッド９００（図９）、クラブヘッド１０００（図１０）、クラブヘッド１１００（図１１）、および／またはクラブヘッド１２００（図１２）と同様にすることができる。したがって、クラブヘッド１２００の類似の番号が付された参照要素は、クラブヘッド１００、クラブヘッド２００、クラブヘッド３００、クラブヘッド４００、クラブヘッド９００、クラブヘッド１０００、クラブヘッド１１００、および／またはクラブヘッド１２００の類似の番号が付された参照要素と同様または同一にされうる。
【００８１】
４つの位置合わせ補助ストライプ１２１２は、第１のトウ位置合わせ補助ストライプ１２１３、第２のトウ位置合わせ補助ストライプ１２３０、第１のヒール位置合わせ補助ストライプ１２１４、および第２のヒール位置合わせ補助ストライプ１２３１を含むことができる。４つの位置合わせ補助ストライプ１２１２のそれぞれは、互いに平行にすることができる。第１のトウ位置合わせ補助ストライプ１２１３は、ヒール端部１２０４よりもトウ端部１２０３に近く、第２のトウ位置合わせ補助ストライプ１２３０は、第１のトウ位置合わせ補助ストライプ１２１３よりもトウ端部１２０３に近く、第１のヒール位置合わせ補助ストライプ１２１４は、トウ端部１２０３よりもヒール端部１２０４に近く、第２のヒール位置合わせ補助ストライプ１２３１は、第１のヒール位置合わせ補助ストライプ１２１４よりもヒール端部１２０４に近い。
【００８２】
また、いくつかの実施形態では、第１のトウ位置合わせ補助ストライプ１２１３は、第２のトウ位置合わせ補助ストライプ１２３０からトウオフセット領域１２３２によってオフセットすることができ、かつ／または、第１のヒール位置合わせ補助ストライプ１２１４は、第２のヒール位置合わせ補助ストライプ１２３１からヒールオフセット領域１２３３によってオフセットすることができる。すなわち、第１および第２のトウ位置合わせ補助ストライプ１２１３および１２３０間にギャップが存在し、第１および第２のヒール位置合わせ補助ストライプ１２１４および１２３１間に別のギャップが存在する。さらに、これらまたは他の実施形態では、第１のトウ位置合わせ補助ストライプ１２１３は、第１のヒール位置合わせ補助ストライプ１２１４から中心オフセット領域１２４６によってオフセットすることができる。したがって、第１のトウ位置合わせ補助ストライプ１２１３と第１のヒール位置合わせ補助ストライプ１２１４の間にもギャップが存在することができる。
【００８３】
多くの実施形態では、第１のトウ位置合わせ補助ストライプ１２１３は、第１のトウ位置合わせ補助ストライプ長１２３４（例えば、約１０．５３または１０．０６９センチメートル）、および第１のトウ位置合わせ補助ストライプ幅１２３５（例えば、約１．４８６センチメートル）を備えることができる。第１のトウ位置合わせ補助ストライプ長１２３４は、約８センチメートル以上かつ約１２センチメートル以下とすることができる。第１のトウ位置合わせ補助ストライプ幅１２３５は、約０．５０００センチメートル以上かつ約１．６００センチメートル以下とすることができる。
【００８４】
多くの実施形態では、第２のトウ位置合わせ補助ストライプ１２３０は、第２のトウ位置合わせ補助ストライプ長１２３６（例えば、約１０．３５または９．３８３センチメートル）、および第２のトウ位置合わせ補助ストライプ幅１２３７（例えば、約０．１５２０センチメートル）を備えることができる。第２のトウ位置合わせ補助ストライプ長１２３６は、約８．０００センチメートル以上かつ約１２．００センチメートル以下とすることができる。第２のトウ位置合わせ補助ストライプ幅１２３７は、約０．０５００センチメートル以上かつ約１．６００センチメートル以下とすることができる。
【００８５】
多くの実施形態では、第１のヒール位置合わせ補助ストライプ１２１４は、第１のヒール位置合わせ補助ストライプ長１２３８（例えば、約１０．５３または１０．０６９センチメートル）、および第１のヒール位置合わせ補助ストライプ幅１２３９（例えば、約１．４８６センチメートル）を備えることができる。第１のヒール位置合わせ補助ストライプ長１２３８は、約８センチメートル以上かつ約１２センチメートル以下とすることができる。第１のヒール位置合わせ補助ストライプ幅１２３９は、約０．５０００センチメートル以上かつ約１．６００センチメートル以下とすることができる。
【００８６】
多くの実施形態では、第２のヒール位置合わせ補助ストライプ１２３１は、第２のヒール位置合わせ補助ストライプ長１２４０（例えば、約１０．３５または９．３８３センチメートル）、および第２のヒール位置合わせ補助ストライプ幅１２４１（例えば、約０．１５２０センチメートル）を備えることができる。第２のヒール位置合わせ補助ストライプ長１２４０は、約８．０００センチメートル以上かつ約１２．００センチメートル以下とすることができる。第２のヒール位置合わせ補助ストライプ幅１２４１は、約０．０５００センチメートル以上かつ約１．６００センチメートル以下とすることができる。
【００８７】
多くの実施形態では、中心オフセット領域１２４６は、中心オフセット領域長１２４２（例えば、約１０．３５センチメートル）、および中心オフセット領域幅１２４３（例えば、約０．４０６４センチメートル）を備えることができる。中心オフセット領域長１２４２は、約８センチメートル以上かつ約１２センチメートル以下とすることができる。中心オフセット領域幅１２４３は、約０．２０００センチメートル以上かつ約１．０００センチメートル以下とすることができる。
【００８８】
いくつかの実施形態では、トウオフセット領域１２３２はトウオフセット領域幅１２４４を備えることができ、かつ／または、ヒールオフセット領域１２３３はヒールオフセット領域幅１２４５を備えることができる。多くの実施形態では、トウオフセット領域幅１２４４および／またはヒールオフセット領域幅１２４５は、０．２５４０センチメートルとほぼ等しく、または約０．１０００センチメートル以上から約０．３５００センチメートル以下とすることができる。
【００８９】
第１のトウ位置合わせ補助ストライプ幅１２３５は、第１のヒール位置合わせ補助ストライプ幅１２３９とほぼ等しくすることができ、第２のトウ位置合わせ補助ストライプ幅１２３７は、第２のヒール位置合わせ補助ストライプ幅１２４１とほぼ等しくすることができる。同じまたは異なる実施形態において、第１のトウ位置合わせ補助ストライプ幅１２３５は、第２のトウ位置合わせ補助ストライプ幅１２３７と異なることができ、かつ／または、第１のヒール位置合わせ補助ストライプ幅１２３９は、第２のヒール位置合わせ補助ストライプ幅１２４１と異なることができる。さらに、中心位置合わせ補助ギャップ幅１２４３は、第１のトウ位置合わせ補助ストライプ幅１２３５、第１のヒール位置合わせ補助ストライプ幅１２３９、第２のトウ位置合わせ補助ストライプ幅１２３７、および／または第２のヒール位置合わせ補助ストライプ幅１２４１と異なることができる。第１のトウ位置合わせ補助ストライプ長１２３４、第２のトウ位置合わせ補助ストライプ長１２３６、第１のヒール位置合わせ補助ストライプ長１２３８、第２のヒール位置合わせ補助ストライプ長１２４０、および／または中心位置合わせ補助ギャップ長１２４２はそれぞれ、第１のトウ位置合わせ補助ストライプ幅１２３５、第２のトウ位置合わせ補助ストライプ幅１２３７、第１のヒール位置合わせ補助ストライプ幅１２３９、第２のヒール位置合わせ補助ストライプ幅１２４１、および／または中心位置合わせ補助ギャップ幅１２４３の中点で測ることができる。
【００９０】
多くの実施形態では、クラブヘッド１００（図１）、クラブヘッド２００（図２）、クラブヘッド３００（図３）、クラブヘッド４００（図４）、クラブヘッド９００（図９〜１１）、および／またはクラブヘッド１２００（図１２）のいずれも、例えば、それぞれ、クラブヘッド１００（図１）、クラブヘッド２００（図２）、クラブヘッド９００（図９）、クラブヘッド１０００（図１０）、クラブヘッド１１００（図１１）、および／またはクラブヘッド１２００（図１２）の製造者を示すために、１つまたは複数のブランドおよび／または他の記号を備えることができる。これらのブランドおよび／または他の記号は、位置合わせ補助手段１１１（図１）、位置合わせ補助手段２１１（図２）、位置合わせ補助手段３１１（図３）、位置合わせ補助手段４１１（図４）、位置合わせ補助手段９１１（図９）、位置合わせ補助手段１０１１（図１０）、位置合わせ補助手段１１１１（図１１）、および／または位置合わせ補助手段１２１１（図１２）と重なってもよいしまたは分離されてもよい。一例として、図１２では、ブランドロゴが、第１のヒール位置合わせ補助ストライプ１２１４においてクラブヘッド１２００のクラウン後部に向かって示されている。他の実施形態では、ブランドおよび／または他の記号（複数可）は省略されてもよい。
【００９１】
また、図面をさらに参照すると、図１３は、一実施形態によるクラブヘッド１３００の平面図を示している。クラブヘッド１３００は、単に例示であって、本明細書に提示される実施形態に限定されない。クラブヘッド１３００は、特に図示されないまたは本明細書に説明されない多くの異なる実施形態または例で用いることができる。クラブヘッド１３００は、クラブヘッド１００（図１）、クラブヘッド２００（図２）、クラブヘッド３００（図３）、クラブヘッド４００（図４）、クラブヘッド９００（図９〜１１）、および／またはクラブヘッド１２００（図１２）のいずれかと同様または同一にすることもできる。
【００９２】
例えば、クラブヘッド１３００は、前端部１３０１、後端部１３０２、トウ端部１３０３、ヒール端部１３０４、フロントフェース１３０５、クラウン面１３０６、前方クラウン端部１３０７、後方クラウン端部１３０８、および位置合わせ補助手段１３０９を備えることができる。さらに、位置合わせ補助手段１３０９は、１つまたは複数の位置合わせ補助ストライプ（複数可）１３１１を備えることができ、位置合わせ補助ストライプ（複数可）１３１１は、２つの位置合わせ補助ストライプ１３１２を含むことができる。前端部１３０１、後端部１３０２、トウ端部１３０３、ヒール端部１３０４、フロントフェース１３０５、クラウン面１３０６、前方クラウン端部１３０７、後方クラウン端部１３０８、および位置合わせ補助手段１３０９はそれぞれ、図１における前端部１０１、後端部１０２、トウ端部１０３、ヒール端部１０４、フロントフェース１０５、クラウン面１０６、前方クラウン端部１０７、後方クラウン端部１０８、および位置合わせ補助手段１０９と同様または同一にすることができる。また、位置合わせ補助ストライプ（複数可）１３１１および２つの位置合わせ補助ストライプ１３１２はそれぞれ、図１における位置合わせ補助ストライプ（複数可）１１１および２つの位置合わせ補助ストライプ１１２と同様または同一にすることができる。一例として、図１３では、ブランドロゴが、２つの位置合わせ補助ストライプ１３１２の間のギャップに示されている。
【００９３】
本発明は特定の実施形態を参照して説明されているが、発明の趣旨および範囲から逸脱することなく様々な変更が可能であることは、当業者には理解されよう。したがって、本発明の実施形態の開示は、本発明の範囲を例示することを意図しており、限定することを意図するものではない。本発明の範囲は、添付の特許請求の範囲で要求される範囲にのみ限定されることが意図される。例えば、図７の手順７０１および７０２ならびに図８のプロセス８０１から８０４は、多数の異なる手順、プロセス、および動作から構成され、多数の異なるモジュールによって多数の異なる順序で実施されうること図１〜１３の任意の要素が修正されうること、ならびに、これらの実施形態のいくつかの前述の説明が、必ずしもすべての可能な実施形態についての完全な説明を表していないことは、当業者には容易に理解されよう。
【００９４】
任意の特定の請求項に記載されるすべての要素は、その特定の請求項で記載される実施形態に必須である。したがって、１つまたは複数の記載された要素の置き換えは、再構築であって修正ではない。さらに、利益、他の利点、および問題の解決手段が、特定の実施形態に関連して説明されている。しかし、利益、利点、問題の解決手段、ならびに、任意の利益、利点、または解決手段をもたらしまたは顕著にする任意の１つまたは複数の要素は、そのような利益、利点、解決手段、または要素がかかる請求項に明記されない限り、任意またはすべての請求項の不可欠な、必要な、または必須の特徴または要素と解釈されるべきではない。
【００９５】
ゴルフのルールは時々変わることがあるため（例えば、全米ゴルフ協会（ＵＳＧＡ）、英国ゴルフ協会（Ｒ＆Ａ）のようなゴルフ標準化組織および／または管理機関によって、新しい規制が採用される、または古いルールが削除もしくは修正されることがある）、本明細書で説明した装置、方法、および製品に関連するゴルフ用具は、任意の特定の時点でゴルフのルールに適合することも適合しないこともある。したがって、本明細書で説明した装置、方法、および製品に関連するゴルフ用具は、適合するまたは適合しないゴルフ用具として、広告される、販売用に供される、かつ／または販売される可能性がある。本明細書で説明した装置、方法、および製品は、この点について限定されない。
【００９６】
上記の例は、ウッドタイプゴルフクラブヘッドに関連して説明することができるが、本明細書で説明した装置、方法、および製品は、アイアンタイプゴルフクラブ、ウェッジタイプゴルフクラブ、またはパタータイプゴルフクラブなど他のタイプのゴルフクラブに適用することができる。あるいは、本明細書で説明した装置、方法、および製品は、ホッケースティック、テニスラケット、釣り竿、スキーストックなど他のタイプのスポーツ用品に適用することができる。
【００９７】
さらに、本明細書に開示した実施形態および限定は、実施形態および／または限定が、（１）特許請求の範囲に明示されていない、かつ（２）均等論のもとで請求項における明示的な要素および／または限定の均等物であるまたは潜在的な均等物である場合、供与の原則（ｄｏｃｔｒｉｎｅ  ｏｆ  ｄｅｄｉｃａｔｉｏｎ）に基づき公衆に供与されることはない。
【図１】
2018187410.tif 000003
【図２】
2018187410.tif 000004
【図３】
2018187410.tif 000005
【図４】
2018187410.tif 000006
【図５】
2018187410.tif 000007
【図６】
2018187410.tif 000008
【図７】
2018187410.tif 000009
【図８】
2018187410.tif 000010
【図９】
2018187410.tif 000011
【図１０】
2018187410.tif 000012
【図１１】
2018187410.tif 000013
【図１２】
2018187410.tif 000014
【図１３】
2018187410.tif 000015
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
フロントフェースを備える前端部と、
トウ端部と、
前記トウ端部の反対側のヒール端部と、
前記前端部の反対側の後端部と、
前方クラウン端部および後方クラウン端部を備えるクラウン面と、
前記クラウン面に隣接するスカート面と、
前記クラウン面における位置合わせ補助手段と
を備えるドライバクラブヘッドであって、
前記前方クラウン端部は、前記フロントフェースが前記クラウン面と接する箇所を分ける線であり、
前記後方クラウン端部は、前記後端部において前記クラウン面が前記スカート面と接する箇所を分ける線であり、
前記前方クラウン端部は、前記後端部よりも前記前端部に近く、
前記後方クラウン端部は、前記前端部よりも前記後端部に近く、
前記位置合わせ補助手段は、２つ以上の位置合わせ補助ストライプを備え、
前記２つ以上の位置合わせ補助ストライプは、前記前方クラウン端部まで延びており、かつ、前記後方クラウン端部まで延びており、
第１の位置合わせ補助ストライプは、前記ヒール端部よりも前記トウ端部に近く、
第２の位置合わせ補助ストライプは、前記トウ端部よりも前記ヒール端部に近く、
前記第１の位置合わせ補助ストライプは、前記第２の位置合わせ補助ストライプとほぼ平行であり、
前記２つ以上の位置合わせ補助ストライプは、第１の色を備え、
前記クラウン面は、前記第１の色と異なる第２の色を備え、
前記位置合わせ補助手段は、位置合わせ補助幅を備え、
前記位置合わせ補助幅は、ゴルフボールの直径以下であり、
前記ゴルフボールの直径は、約４．２６センチメートルであり、
前記２つ以上の位置合わせ補助ストライプのうちの前記第１の位置合わせ補助ストライプと前記第２の位置合わせ補助ストライプは、ギャップによって互いにオフセットされ、
前記ギャップは、前記第２の色を備え、前記２つ以上の位置合わせ補助ストライプのうちの前記第１の位置合わせ補助ストライプと前記第２の位置合わせ補助ストライプのいずれかの幅よりも大きいギャップ幅を備える、ドライバクラブヘッド。
【請求項２】
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、請求項１に記載のドライバクラブヘッド。
【請求項３】
前記クラウン面は、前記位置合わせ補助手段を備え、
文字が、前記第１の位置合わせ補助ストライプと前記第２の位置合わせ補助ストライプの間の前記ギャップに位置する、請求項１または２に記載のドライバクラブヘッド。
【請求項４】
前記文字は、前記２つ以上の位置合わせ補助ストライプと平行に配置される、請求項３に記載のドライバクラブヘッド。
【請求項５】
前記位置合わせ補助手段は、前記トウ端部および前記ヒール端部からほぼ等距離に位置し、
文字が、前記２つ以上の位置合わせ補助ストライプの間の前記ギャップに位置し、
前記文字は、前記２つ以上の位置合わせ補助ストライプと平行に配置され、
前記２つ以上の位置合わせ補助ストライプは、互いにほぼ平行である、請求項１に記載のドライバクラブヘッド。
【請求項６】
フロントフェースを備える前端部と、
トウ端部と、
前記トウ端部の反対側のヒール端部と、
前記前端部の反対側の後端部と、
前方クラウン端部および後方クラウン端部を備えるクラウン面と、
前記クラウン面に隣接するスカート面と、
前記クラウン面であって、前記前方クラウン端部と前記後方クラウン端部の間に位置する位置合わせ補助手段と、
を備えるウッドタイプクラブヘッドであって、
前記前方クラウン端部は、前記フロントフェースが前記クラウン面と接する箇所を分ける線であり、
前記後方クラウン端部は、前記後端部において前記クラウン面が前記スカート面と接する箇所を分ける線であり、
前記前方クラウン端部は、前記後端部よりも前記前端部に近く、
前記後方クラウン端部は、前記前端部よりも前記後端部に近く、
前記位置合わせ補助手段は、２つ以上の位置合わせ補助ストライプを備え、
前記２つ以上の位置合わせ補助ストライプは、前記前方クラウン端部まで延びており、かつ、前記後方クラウン端部まで延びており、
前記２つ以上の位置合わせ補助ストライプは、同一線上に配置されておらず、
前記２つ以上の位置合わせ補助ストライプは、第１の色を備え、
前記クラウン面は、前記第１の色と異なる第２の色を備え、
前記位置合わせ補助手段は、位置合わせ補助幅を備え、
前記位置合わせ補助幅は、ゴルフボールの直径以下であり、
前記ゴルフボールの直径は、約４．２６センチメートルであり、
前記２つ以上の位置合わせ補助ストライプのうちのいずれの隣り合う２つの位置合わせ補助ストライプも、ギャップによって互いにオフセットされ、
各ギャップは、前記第２の色を備え、
前記各ギャップは、前記２つ以上の位置合わせ補助ストライプのいずれかの幅よりも大きいギャップ幅を備える、ウッドタイプクラブヘッド。
【請求項７】
前記２つ以上の位置合わせ補助ストライプは、（ａ）異なる幅または（ｂ）ほぼ等しい幅の少なくとも一方を備えることと、互いにほぼ平行であることの少なくとも一方を備える、請求項６に記載のウッドタイプクラブヘッド。
【請求項８】
前記２つ以上の位置合わせ補助ストライプは、互いにほぼ平行である、請求項６に記載のウッドタイプクラブヘッド。
【請求項９】
前記位置合わせ補助手段は、前記２つ以上の位置合わせ補助ストライプの他に、少なくとも１つのグラフィックを備える、請求項６から８のいずれか一項に記載のウッドタイプクラブヘッド。
【請求項１０】
前記位置合わせ補助手段は、前記各ギャップを備え、
１つのギャップは、少なくとも１つのグラフィックを備える、請求項６から９のいずれか一項に記載のウッドタイプクラブヘッド。
【請求項１１】
前記２つ以上の位置合わせ補助ストライプは、第１の位置合わせ補助ストライプおよび第２の位置合わせ補助ストライプを含み、
前記第１の位置合わせ補助ストライプは、前記ヒール端部よりも前記トウ端部に近く、
前記第２の位置合わせ補助ストライプは、前記トウ端部よりも前記ヒール端部に近い、請求項６から１０のいずれか一項に記載のウッドタイプクラブヘッド。
【請求項１２】
前記位置合わせ補助幅は、前記ゴルフボールの直径未満である、請求項６から１１のいずれか一項に記載のウッドタイプクラブヘッド。
【請求項１３】
フロントフェースを備える前端部と、
トウ端部と、
前記トウ端部の反対側のヒール端部と、
前記前端部の反対側の後端部と、
前方クラウン端部および後方クラウン端部を備えるクラウン面と、
前記クラウン面に隣接するスカート面と、
前記クラウン面の位置合わせ補助手段であって、前記前方クラウン端部まで延びており、かつ、前記後方クラウン端部まで延びている前記位置合わせ補助手段と、
を備えるウッドタイプクラブヘッドであって、
前記前方クラウン端部は、前記フロントフェースが前記クラウン面と接する箇所を分ける線であり、
前記後方クラウン端部は、前記後端部において前記クラウン面が前記スカート面と接する箇所を分ける線であり、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボールの直径以下であり、
前記ゴルフボールの直径は、約４．２６センチメートルであり、
前記位置合わせ補助手段は、２つ以上の位置合わせ補助ストライプを備え、
前記２つ以上の位置合わせ補助ストライプは、前記前方クラウン端部と前記後方クラウン端部との間で延びており、
前記２つ以上の位置合わせ補助ストライプは、互いにほぼ平行であり、
前記２つ以上の位置合わせ補助ストライプのうちのいずれの隣り合う２つの位置合わせ補助ストライプも、ギャップによって互いにオフセットされ、
各ギャップは、前記２つ以上の位置合わせ補助ストライプのいずれかの幅よりも大きいギャップ幅を備える、ウッドタイプクラブヘッド。
【請求項１４】
前記２つ以上の位置合わせ補助ストライプは、第１の色を備え、
前記クラウン面は、前記第１の色と異なる第２の色を備え、
前記位置合わせ補助手段は、各ギャップと、前記位置合わせ補助手段の端部に位置するテキストを備える、請求項１３に記載のウッドタイプクラブヘッド。
【請求項１５】
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、請求項１３又は１４に記載のウッドタイプクラブヘッド。
【請求項１６】
前記クラウン面は、前記位置合わせ補助手段を備える、請求項１３から１５のいずれか一項に記載のウッドタイプクラブヘッド。
【請求項１７】
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、請求項１３から１６のいずれか一項に記載のウッドタイプクラブヘッド。
【手続補正２】
【補正対象書類名】明細書
【補正対象項目名】００９７
【補正方法】変更
【補正の内容】
【００９７】
さらに、本明細書に開示した実施形態および限定は、実施形態および／または限定が、（１）特許請求の範囲に明示されていない、かつ（２）均等論のもとで請求項における明示的な要素および／または限定の均等物であるまたは潜在的な均等物である場合、供与の原則（ｄｏｃｔｒｉｎｅ  ｏｆ  ｄｅｄｉｃａｔｉｏｎ）に基づき公衆に供与されることはない。
以下に、本実施例の特徴を列挙する。
（特徴１）
フロントフェースを備える前端部と、
トウ端部と、
前記トウ端部の反対側のヒール端部と、
前記フロントフェースの反対側の後端部と、
前方クラウン端部および後方クラウン端部を備えるクラウン面と、
前記クラウン面であって、前記前方クラウン端部と前記後方クラウン端部の間に位置する位置合わせ補助手段と、
を備えるウッドタイプクラブヘッドであって、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボールのゴルフボール直径以下であり、
前記位置合わせ補助手段は、２つ以上の位置合わせ補助ストライプを備え、
前記２つ以上の位置合わせ補助ストライプは、互いにほぼ平行であり、
前記クラウン面は、クラウン面周縁と、前記クラウン面周縁内に位置するクラウン内面と、をさらに備え、
前記位置合わせ補助手段は、前記クラウン面周縁には不在であり、
前記２つ以上の位置合わせ補助ストライプは、ギャップによって互いにオフセットされ、
前記ギャップは、前記２つ以上の位置合わせ補助ストライプのいずれの幅よりも大きいギャップ幅を備える、ウッドタイプクラブヘッド。
（特徴２）
前記クラウン面は、前記位置合わせ補助手段を備える、特徴１に記載のウッドタイプクラブヘッド。
（特徴３）
前記２つ以上の位置合わせ補助ストライプは、ギャップによって互いにオフセットされ、
前記２つ以上の位置合わせ補助ストライプは、第１の色を備え、
前記クラウン面は、前記第１の色と異なる第２の色を備え、
前記位置合わせ補助手段は、前記位置合わせ補助手段の端部に位置するギャップおよびテキストを備える、特徴１または２に記載のウッドタイプクラブヘッド。
（特徴４）
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、特徴１から３のいずれか一項に記載のウッドタイプクラブヘッド。
（特徴５）
前記ゴルフボールの前記ゴルフボール直径は、約４．２６センチメートルであり、
前記位置合わせ補助手段は、前記ウッドタイプクラブヘッドと一体化される、特徴１から４のいずれか一項に記載のウッドタイプクラブヘッド。
（特徴６）
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、特徴１から５のいずれか一項に記載のウッドタイプクラブヘッド。
（特徴７）
フロントフェースを備える前端部と、
トウ端部と、
前記トウ端部の反対側のヒール端部と、
前記前端部の反対側の後端部と、
前方クラウン端部および後方クラウン端部を備えるクラウン面と、
前記クラウン面における位置合わせ補助手段と
を備えるドライバクラブヘッドであって、
前記前方クラウン端部は、前記後端部よりも前記前端部に近く、
前記後方クラウン端部は、前記前端部よりも前記後端部に近く、
前記位置合わせ補助手段は、２つ以上の位置合わせ補助ストライプを備え、
前記２つ以上の位置合わせ補助ストライプは、前記第１の位置合わせ補助ストライプおよび第２の位置合わせ補助ストライプを含み、
前記第１の位置合わせ補助ストライプは、前記ヒール端部よりも前記トウ端部に近く、
前記第２の位置合わせ補助ストライプは、前記トウ端部よりも前記ヒール端部に近く、
前記第１の位置合わせ補助ストライプは、前記第２の位置合わせ補助ストライプとほぼ平行であり、
前記第１の位置合わせ補助ストライプは、前記第２の位置合わせ補助ストライプからギャップによってオフセットされ、
前記２つ以上の位置合わせ補助ストライプは、第１の色を備え、
前記クラウン面は、前記第１の色と異なる第２の色を備え、
前記ギャップは、前記第２の色を備え、
前記位置合わせ補助手段は、位置合わせ補助幅を備え、
前記位置合わせ補助幅は、ゴルフボールの直径以下であり、
前記クラウン面は、クラウン面周縁と、前記クラウン面周縁内に位置するクラウン内面と、を備え、
前記位置合わせ補助手段は、前記クラウン面周縁には不在であり、
前記２つ以上の位置合わせ補助ストライプは、ギャップによって互いにオフセットされ、
前記ギャップは、前記２つ以上の位置合わせ補助ストライプのいずれの幅よりも大きいギャップ幅を備える、ドライバクラブヘッド。
（特徴８）
前記２つ以上の位置合わせ補助ストライプは、（ａ）異なる幅または（ｂ）ほぼ等しい幅の少なくとも一方を備え、
前記位置合わせ補助手段は、前記トウ端部および前記ヒール端部からほぼ等距離にある、特徴７に記載のドライバクラブヘッド。
（特徴９）
前記クラウン面は、前記位置合わせ補助手段を備え、
グラフィックが、前記２つ以上の位置合わせ補助ストライプの間の前記ギャップに位置する、特徴７または８に記載のドライバクラブヘッド。
（特徴１０）
前記グラフィックは、前記２つ以上の位置合わせ補助ストライプと平行に配置される、特徴９に記載のドライバクラブヘッド。
（特徴１１）
前記位置合わせ補助手段は、前記トウ端部および前記ヒール端部からほぼ等距離に位置し、
グラフィックが、前記２つ以上の位置合わせ補助ストライプの間の前記ギャップに位置し、
前記グラフィックは、前記２つ以上の位置合わせ補助ストライプと平行に配置され、
前記２つ以上の位置合わせ補助ストライプは、互いにほぼ平行であり、
前記ゴルフボールの直径は、約４．２６センチメートルである、特徴７または８に記載のドライバクラブヘッド。
（特徴１２）
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面における、前記前方クラウン端部と前記後方クラウン端部の間に延在する位置合わせ補助手段と
を備えるクラブヘッドであって、
前記クラブヘッドは、ウッドタイプクラブヘッドを含み、
前記前方クラウン端部は、前記後端部よりも前記前端部に近く、
前記後方クラウン端部は、前記前端部よりも前記後端部に近く、
前記位置合わせ補助手段は、位置合わせ補助幅を備え、
前記位置合わせ補助幅は、ゴルフボール直径以下であり、
前記ゴルフボール直径は、約４．２６センチメートルであり、
前記位置合わせ補助手段は、２つ以上の位置合わせ補助ストライプを備える、クラブヘッド。
（特徴１３）
前記クラウン面は、クラウン面周縁と、前記クラウン面周縁内に位置する前記クラウン面周縁以外のクラウン内面とをさらに備え
前記位置合わせ補助手段は、前記クラウン面周縁には不在である、特徴１２に記載のクラブヘッド。
（特徴１４）
前記位置合わせ補助手段は、前記フロントフェースにも位置する、特徴１２または１３に記載のクラブヘッド。
（特徴１５）
前記位置合わせ補助手段は、前記フロントフェースと直角である、特徴１２から１４のいずれか一項に記載のクラブヘッド。
（特徴１６）
前記位置合わせ補助手段は、前記フロントフェースと鋭角を形成し、
前記鋭角は、前記トウ端部または前記ヒール端部の一方に向かって開き、
前記鋭角は、約４５度以上かつ約９０度未満である、特徴１２から１５のいずれか一項に記載のクラブヘッド。
（特徴１７）
前記２つ以上の位置合わせ補助ストライプは、４つの位置合わせ補助ストライプを含み、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近い、特徴１２から１６のいずれか一項に記載のクラブヘッド。
（特徴１８）
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第１のトウ位置合わせ補助ストライプは、前記第１のヒール位置合わせ補助ストライプとほぼ平行である、特徴１７に記載のクラブヘッド。
（特徴１９）
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第２のトウ位置合わせ補助ストライプは、前記第２のヒール位置合わせ補助ストライプとほぼ平行である、特徴１８に記載のクラブヘッド。
（特徴２０）
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭い、特徴１９に記載のクラブヘッド。
（特徴２１）
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされる、特徴１７から２０のいずれか一項に記載のクラブヘッド。
（特徴２２）
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しい、特徴２１に記載のクラブヘッド。
（特徴２３）
前記第１のトウ位置合わせ補助ストライプは、前記第１のヒール位置合わせ補助ストライプから中心オフセット領域によってオフセットされる、特徴２２に記載のクラブヘッド。
（特徴２４）
前記中心オフセット領域は、中心オフセット領域幅を備え、
前記トウオフセット領域幅および前記ヒールオフセット領域幅は、前記中心オフセット領域幅より狭い、特徴２３に記載のクラブヘッド。
（特徴２５）
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプ幅は、前記第２のヒール位置合わせ補助ストライプ幅とほぼ等しく、
前記第１のトウ位置合わせ補助ストライプ幅および前記第１のヒール位置合わせ補助ストライプ幅は、約０．５０センチメートル以上かつ約１．６センチメートル以下であり、
前記第２のトウ位置合わせ補助ストライプ幅および前記第２のヒール位置合わせ補助ストライプ幅は、約０．０５０センチメートル以上かつ約１．５センチメートル以下である、特徴１７に記載のクラブヘッド。
（特徴２６）
前記第１のトウ位置合わせ補助ストライプは、第１のトウ位置合わせ補助ストライプ長を備え、
前記第１のヒール位置合わせ補助ストライプは、第１のヒール位置合わせ補助ストライプ長を備え、
前記第２のトウ位置合わせ補助ストライプは、第２のトウ位置合わせ補助ストライプ長を備え、
前記第２のヒール位置合わせ補助ストライプは、第２のヒール位置合わせ補助ストライプ長を備え、
前記第１のトウ位置合わせ補助ストライプ長は、前記第１のヒール位置合わせ補助ストライプ長とほぼ等しく、
前記第２のトウ位置合わせ補助ストライプ長は、前記第２のヒール位置合わせ補助ストライプ長とほぼ等しく、
前記第１のトウ位置合わせ補助ストライプ長および前記第１のヒール位置合わせ補助ストライプ長は、約８．０センチメートル以上かつ約１２センチメートル以下であり、
前記第２のトウ位置合わせ補助ストライプ長および前記第２のヒール位置合わせ補助ストライプ長は、約８．０センチメートル以上かつ約１．５センチメートル以下である、特徴１７から２５のいずれか一項に記載のクラブヘッド。
（特徴２７）
フロントフェースを備える前端部と、
トウ端部、および前記トウ端部の反対側のヒール端部と、
前記フロントフェースの反対側の後端部と、
前方クラウン端部および後方クラウン端部を備えるクラウン面と、
前記クラウン面を横切って前記前方クラウン端部から前記後方クラウン端部に延びる位置合わせ補助手段と
を備えるクラブヘッドであって、
前記クラブヘッドは、ドライバクラブヘッドを含み、
前記位置合わせ補助手段は、４つの位置合わせ補助ストライプを備え、
前記位置合わせ補助手段は、位置合わせ補助幅を備え、
前記位置合わせ補助幅は、ゴルフボール直径とほぼ等しく、
前記ゴルフボール直径は、約４．２６センチメートルを備え、
前記４つの位置合わせ補助ストライプは、第１のトウ位置合わせ補助ストライプ、第１のヒール位置合わせ補助ストライプ、第２のトウ位置合わせ補助ストライプ、および第２のヒール位置合わせ補助ストライプを含み、
前記第１のトウ位置合わせ補助ストライプは、前記ヒール端部よりも前記トウ端部に近く、
前記第１のヒール位置合わせ補助ストライプは、前記トウ端部よりも前記ヒール端部に近く、
前記第２のトウ位置合わせ補助ストライプは、前記第１のトウ位置合わせ補助ストライプよりも前記トウ端部に近く、
前記第２のヒール位置合わせ補助ストライプは、前記第１のヒール位置合わせ補助ストライプよりも前記ヒール端部に近く、
前記第１のトウ位置合わせ補助ストライプは、第１のトウ位置合わせ補助ストライプ幅を備え、
前記第１のヒール位置合わせ補助ストライプは、第１のヒール位置合わせ補助ストライプ幅を備え、
前記第１のトウ位置合わせ補助ストライプ幅は、前記第１のヒール位置合わせ補助ストライプ幅とほぼ等しく、
前記第２のトウ位置合わせ補助ストライプは、第２のトウ位置合わせ補助ストライプ幅を備え、
前記第２のヒール位置合わせ補助ストライプは、第２のヒール位置合わせ補助ストライプ幅を備え、
前記第２のトウ位置合わせ補助ストライプ幅は、前記第２のヒール位置合わせ補助ストライプ幅とほぼ等しく、
前記第１のトウ位置合わせ補助ストライプ、前記第１のヒール位置合わせ補助ストライプ、前記第１のヒール位置合わせ補助ストライプ、前記第２のトウ位置合わせ補助ストライプ、および前記第２のヒール位置合わせ補助ストライプは、互いにほぼ平行であり、
前記第２のトウ位置合わせ補助ストライプ幅は、前記第１のトウ位置合わせ補助ストライプ幅より狭く、
前記第２のヒール位置合わせ補助ストライプ幅は、前記第１のヒール位置合わせ補助ストライプ幅より狭く、
前記第１のトウ位置合わせ補助ストライプは、前記第２のトウ位置合わせ補助ストライプからトウオフセット領域によってオフセットされ、
前記第１のヒール位置合わせ補助ストライプは、前記第２のヒール位置合わせ補助ストライプからヒールオフセット領域によってオフセットされ、
前記トウオフセット領域は、トウオフセット領域幅を備え、
前記ヒールオフセット領域は、ヒールオフセット領域幅を備え、
前記トウオフセット領域幅は、前記ヒールオフセット領域幅とほぼ等しく、
前記第１のトウ位置合わせ補助ストライプは、前記第１のヒール位置合わせ補助ストライプから中心オフセット領域によってオフセットされ、
前記中心オフセット領域は、中心オフセット領域幅を備え、
前記トウオフセット領域幅および前記ヒールオフセット領域幅は、前記中心オフセット領域幅より狭く、
前記位置合わせ補助手段は、前記フロントフェースと直角である、クラブヘッド。
（特徴２８）
ウッドタイプクラブヘッドを準備する工程であって、前記ウッドタイプクラブヘッドは、
フロントフェースを備える前端部と、
トウ端部、および前記トウ端部の反対側のヒール端部と、
前記フロントフェースの反対側の後端部と、
前方クラウン端部および後方クラウン端部を備えるクラウン面であって、前記前方クラウン端部が前記後端部よりも前記前端部に近く、前記後方クラウン端部が前記前端部よりも前記後端部に近い、クラウン面と
を備える、工程と、
前記クラウン面において前記前方クラウン端部と前記後方クラウン端部の間に延在する位置合わせ補助手段を準備する工程であって、前記位置合わせ補助手段は、約４．２６センチメートルのゴルフボール直径以下である位置合わせ補助幅を備え、２つ以上の位置合わせ補助ストライプを備える、工程と
を含む方法。
（特徴２９）
前記ウッドタイプクラブヘッドを準備する工程は、ドライバクラブヘッドまたはフェアウェイウッドクラブヘッドの一方を準備する工程を含む、特徴２８に記載の方法。
（特徴３０）
前記ウッドタイプクラブヘッドを準備する工程は、ドライバクラブヘッドを準備する工程を含み、
前記２つ以上の位置合わせ補助ストライプは、レーシングストライプを含む、特徴２８に記載の方法。
（特徴３１）
前記位置合わせ補助手段を準備する工程は、前記位置合わせ補助手段が、前記クラウン面のクラウン面周縁内に位置する前記クラウン面周縁以外のクラウン面内面にあるように、かつ、前記位置合わせ補助手段が、前記クラウン面周縁には不在であるように、前記位置合わせ補助手段を準備する工程を含む、特徴２８から３０のいずれか一項に記載の方法。
（特徴３２）
前記２つ以上の位置合わせ補助ストライプは、４つの位置合わせ補助ストライプを準備することを含み、
前記４つの位置合わせ補助ストライプは、第１のトウ位置合わせ補助ストライプが、前記ヒール端部よりも前記トウ端部に近く、第１のヒール位置合わせ補助ストライプが、前記トウ端部よりも前記ヒール端部に近く、第２のトウ位置合わせ補助ストライプが、前記第１のトウ位置合わせ補助ストライプよりも前記トウ端部に近く、第２のヒール位置合わせ補助ストライプが、前記第１のヒール位置合わせ補助ストライプよりも前記ヒール端部に近く、前記４つの位置合わせ補助ストライプが、互いに実質的に平行であるように、前記第１のトウ位置合わせ補助ストライプ、前記第１のヒール位置合わせ補助ストライプ、前記第２のトウ位置合わせ補助ストライプ、および前記第２のヒール位置合わせ補助ストライプを準備することを含む、特徴２８から３１のいずれか一項に記載の方法。
【外国語明細書】
2018187410000001.pdf
2018187410000002.pdf
2018187410000003.pdf
2018187410000004.pdf